(57)【特許請求の範囲】
【請求項１】
複数の設備の状態を計測する複数の計測器の各々を識別する第１識別子と前記複数の計測器のうち対応する計測器の種別に割り当てられた第２識別子とが互いに関連付けられ且つ前記複数の設備の各々を構成する複数の機器の情報を含む設備情報を記憶する設備情報記憶部と、
前記設備情報記憶部に記憶された前記設備情報に基づいて、前記複数の設備と前記複数の機器と前記複数の計測器との関係をツリー状階層構造で表す階層画像を含む画像を表示部に表示させる表示処理部と、
前記設備情報記憶部に記憶された前記設備情報に基づいて、前記表示部に表示された前記階層画像に含まれる前記複数の計測器のうち選択された計測器に関連付けられた第２識別子と同じ第２識別子が関連付けられた１以上の計測器を１以上の関連計測器として判定する判定部と、を備え、
前記表示処理部は、
前記選択された計測器の計測値の時間変化を示すトレンドグラフと前記判定部によって判定された前記１以上の関連計測器の計測値の時間変化を示すトレンドグラフとを含む監視画像を前記表示部に表示させる
ことを特徴とする監視システム。  
【請求項２】
複数の設備の状態を計測する複数の計測器の各々を識別する第１識別子と前記複数の計測器のうち対応する計測器の種別に割り当てられた第２識別子とが互いに関連付けられた設備情報を記憶する設備情報記憶部と、
前記設備情報記憶部に記憶された前記設備情報に基づいて、前記複数の計測器のうち選択された計測器に関連付けられた第２識別子と同じ第２識別子が関連付けられた１以上の計測器を１以上の関連計測器として判定する判定部と、
前記選択された計測器の計測値の時間変化を示すトレンドグラフと前記判定部によって判定された前記１以上の関連計測器の計測値の時間変化を示すトレンドグラフとを含む監視画像を表示部に表示させる表示処理部と、
前記複数の設備をモデル化した情報であって設備モデル要素、複数の機器モデル要素、および複数の計測器モデル要素の各々の情報を含む設備モデル情報を記憶する設備モデル情報記憶部と、を備え、
前記設備情報には、
前記複数の設備の各々を構成する複数の機器の情報が含まれ、
前記表示処理部は、
表示モードが第１モードである場合、前記設備情報に基づいて、前記複数の設備と前記複数の機器と前記複数の計測器との関係をツリー状階層構造で表す第１階層画像を含む画像のデータを前記監視画像の情報として生成し、
前記表示モードが第２モードである場合、前記設備モデル情報に基づいて、前記設備モデル要素と前記複数の機器モデル要素と前記複数の計測器モデル要素との関係をツリー状階層構造で表す第２階層画像を含む画像のデータを前記監視画像の情報として生成する
ことを特徴とする監視システム。  
【請求項３】
前記複数の計測器モデル要素の各々には、
前記第２識別子が関連付けられており、
前記判定部は、
前記第２階層画像に含まれる前記複数の計測器モデル要素のうち選択された計測器モデル要素に関連付けられた第２識別子と同じ第２識別子が関連付けられた１以上の計測器を前記１以上の関連計測器として判定し、
前記表示処理部は、
前記選択された計測器モデル要素に関連付けられた第２識別子と同じ第２識別子が関連付けられ且つ前記判定部によって前記１以上の関連計測器として判定された前記１以上の計測器の計測値の時間変化を示すトレンドグラフを含む監視画像を前記表示部に表示させる
ことを特徴とする請求項２に記載の監視システム。
【請求項４】
前記判定部は、
前記複数の計測器のうち前記選択された計測器に関連付けられた第２識別子と同じ第２識別子が関連付けられた計測器が複数ある場合、前記同じ第２識別子が関連付けられた複数の計測器のうち、予め設定された数の計測器を前記１以上の関連計測器として判定する
ことを特徴とする請求項１から３のいずれか１つに記載の監視システム。  
【請求項５】
複数の設備の状態を計測する複数の計測器の各々を識別する第１識別子と前記複数の計測器のうち対応する計測器の種別に割り当てられた第２識別子とが互いに関連付けられた設備情報を記憶する設備情報記憶部と、
前記設備情報記憶部に記憶された前記設備情報に基づいて、前記複数の計測器のうち選択された計測器に関連付けられた第２識別子と同じ第２識別子が関連付けられた１以上の計測器を１以上の関連計測器として判定する判定部と、
前記選択された計測器の計測値の時間変化を示すトレンドグラフと前記判定部によって判定された前記１以上の関連計測器の計測値の時間変化を示すトレンドグラフとを含む監視画像を表示部に表示させる表示処理部と、を備え、
前記監視画像には、
前記複数の計測器の計測値のうち対応する計測値を各々表示する複数の部品が含まれ、
前記複数の部品の各々には、
数字で表される識別子が関連付けられ、
前記判定部は、
前記複数の計測器のうち前記選択された計測器に関連付けられた第２識別子と同じ第２識別子が関連付けられた計測器が複数ある場合、前記同じ第２識別子が関連付けられた複数の計測器のうち、前記選択された計測器との間で前記部品の識別子の数値差が小さい順に予め設定された数の計測器を抽出し、抽出した前記予め設定された数の計測器を前記１以上の関連計測器として判定する
ことを特徴とする監視システム。
【請求項６】
複数の設備の状態を計測する複数の計測器の各々を識別する第１識別子と前記複数の計測器のうち対応する計測器の種別に割り当てられた第２識別子とが互いに関連付けられた設備情報を記憶する設備情報記憶部と、
前記設備情報記憶部に記憶された前記設備情報に基づいて、前記複数の計測器のうち選択された計測器に関連付けられた第２識別子と同じ第２識別子が関連付けられた１以上の計測器を１以上の関連計測器として判定する判定部と、
前記選択された計測器の計測値の時間変化を示すトレンドグラフと前記判定部によって判定された前記１以上の関連計測器の計測値の時間変化を示すトレンドグラフとを含む監視画像を表示部に表示させる表示処理部と、を備え、
前記第１識別子は、
数字で表されており、
前記判定部は、
前記複数の計測器のうち前記選択された計測器に関連付けられた第２識別子と同じ第２識別子が関連付けられた計測器が複数ある場合、前記同じ第２識別子が関連付けられた複数の計測器のうち、前記選択された計測器との間で前記第１識別子の数値差が小さい順に予め設定された数の計測器を抽出し、抽出した前記予め設定された数の計測器を前記１以上の関連計測器として判定する
ことを特徴とする監視システム。  
【請求項７】
複数の設備の状態を計測する複数の計測器の各々を識別する第１識別子と前記複数の計測器のうち対応する計測器の種別に割り当てられた第２識別子とが互いに関連付けられた設備情報を記憶する設備情報記憶部と、
前記設備情報記憶部に記憶された前記設備情報に基づいて、前記複数の計測器のうち選択された計測器に関連付けられた第２識別子と同じ第２識別子が関連付けられた１以上の計測器を１以上の関連計測器として判定する判定部と、
前記選択された計測器の計測値の時間変化を示すトレンドグラフと前記判定部によって判定された前記１以上の関連計測器の計測値の時間変化を示すトレンドグラフとを含む監視画像を表示部に表示させる表示処理部と、を備え、
前記設備情報には、
前記複数の計測器の各々の物理的位置を示す位置情報が含まれ、
前記判定部は、
前記複数の計測器のうち前記選択された計測器に関連付けられた第２識別子と同じ第２識別子が関連付けられた計測器が複数ある場合、前記同じ第２識別子が関連付けられた複数の計測器のうち、前記選択された計測器との位置が近い順に予め設定された数の計測器を抽出し、抽出した前記予め設定された数の計測器を前記１以上の関連計測器として判定する
ことを特徴とする監視システム。  
【請求項８】
複数の設備の状態を計測する複数の計測器の各々を識別する第１識別子と前記複数の計測器のうち対応する計測器の種別に割り当てられた第２識別子とが互いに関連付けられた設備情報を記憶する設備情報記憶部と、
前記設備情報記憶部に記憶された前記設備情報に基づいて、前記複数の計測器のうち選択された計測器に関連付けられた第２識別子と同じ第２識別子が関連付けられた１以上の計測器を１以上の関連計測器として判定する判定部と、
前記選択された計測器の計測値の時間変化を示すトレンドグラフと前記判定部によって判定された前記１以上の関連計測器の計測値の時間変化を示すトレンドグラフとを含む監視画像を表示部に表示させる表示処理部と、を備え、
前記設備情報には、
前記複数の計測器の各々の緯度、経度、および高度のうち少なくとも１つの情報が含まれ、
前記判定部は、
前記同じ第２識別子が関連付けられた複数の計測器のうち、前記選択された計測器と緯度、経度、および高度のうち少なくとも１つが近い順に予め設定された数の計測器を抽出し、抽出した前記予め設定された数の計測器を前記１以上の関連計測器として判定する
ことを特徴とする監視システム。  
【請求項９】
複数の設備の状態を計測する複数の計測器の各々を識別する第１識別子と前記複数の計測器のうち対応する計測器の種別に割り当てられた第２識別子とが互いに関連付けられた設備情報を記憶する設備情報記憶部と、
前記設備情報記憶部に記憶された前記設備情報に基づいて、前記複数の計測器のうち選択された計測器に関連付けられた第２識別子と同じ第２識別子が関連付けられた１以上の計測器を１以上の関連計測器として判定する判定部と、
前記選択された計測器の計測値の時間変化を示すトレンドグラフと前記判定部によって判定された前記１以上の関連計測器の計測値の時間変化を示すトレンドグラフとを含む監視画像を表示部に表示させる表示処理部と、を備え、
前記設備情報には、
前記複数の計測器の各々の緯度、経度、および高度のうち少なくとも２つの情報が含まれ、
前記判定部は、
前記同じ第２識別子が関連付けられた複数の計測器の各々と前記選択された計測器との間の距離を、前記少なくとも２つの情報を重み付けして算出し、前記同じ第２識別子が関連付けられた複数の計測器のうち、前記選択された計測器との間の前記距離が短い順に予め設定された数の計測器を抽出し、抽出した前記予め設定された数の計測器を前記１以上の関連計測器として判定する
ことを特徴とする監視システム。  
【請求項１０】
複数の設備の状態を計測する複数の計測器の各々を識別する第１識別子と前記複数の計測器のうち対応する計測器の種別に割り当てられた第２識別子とが互いに関連付けられた設備情報を記憶する設備情報記憶部と、
前記設備情報記憶部に記憶された前記設備情報に基づいて、前記複数の計測器のうち選択された計測器に関連付けられた第２識別子と同じ第２識別子が関連付けられた１以上の計測器を１以上の関連計測器として判定する判定部と、
前記選択された計測器の計測値の時間変化を示すトレンドグラフと前記判定部によって判定された前記１以上の関連計測器の計測値の時間変化を示すトレンドグラフとを含む監視画像を表示部に表示させる表示処理部と、を備え、
前記判定部は、
前記複数の計測器のうち前記選択された計測器に関連付けられた第２識別子と同じ第２識別子が関連付けられた計測器が複数ある場合、前記同じ第２識別子が関連付けられた複数の計測器のうち、前記選択された計測器との計測値の類似度が高い順に予め設定された数の計測器を抽出し、抽出した前記予め設定された数の計測器を前記１以上の関連計測器として判定する
ことを特徴とする監視システム。  
【請求項１１】
コンピュータが実行する監視画像情報生成方法であって、
複数の設備の状態を計測する複数の計測器の各々を識別する第１識別子と前記複数の計測器のうち対応する計測器の種別に割り当てられた第２識別子とが互いに関連付けられ且つ前記複数の設備の各々を構成する複数の機器の情報を含む設備情報を記憶する設備情報記憶部に記憶された前記設備情報に基づいて、前記複数の設備と前記複数の機器と前記複数の計測器との関係をツリー状階層構造で表す階層画像を含む画像を表示部に表示させる第１ステップと、
前記設備情報記憶部に記憶された前記設備情報に基づいて、前記表示部に表示された前記階層画像に含まれる前記複数の計測器のうち選択された計測器に関連付けられた第２識別子と同じ第２識別子が関連付けられた１以上の計測器を１以上の関連計測器として判定する第２ステップと、
前記選択された計測器の計測値の時間変化を示すトレンドグラフと前記第２ステップによって判定された前記１以上の関連計測器の計測値の時間変化を示すトレンドグラフとを含む監視画像の情報を生成する第３ステップと、を含む
ことを特徴とする監視画像情報生成方法。
【請求項１２】
コンピュータが実行する監視画像情報生成方法であって、
複数の設備の状態を計測する複数の計測器の各々を識別する第１識別子と前記複数の計測器のうち対応する計測器の種別に割り当てられた第２識別子とが互いに関連付けられた設備情報を記憶する設備情報記憶部に記憶された前記設備情報に基づいて、前記複数の計測器のうち選択された計測器に関連付けられた第２識別子と同じ第２識別子が関連付けられた１以上の計測器を１以上の関連計測器として判定する第１ステップと、
前記選択された計測器の計測値の時間変化を示すトレンドグラフと前記第１ステップによって判定された前記１以上の関連計測器の計測値の時間変化を示すトレンドグラフとを含む監視画像の情報を生成する第２ステップと、を含み、
前記設備情報には、
前記複数の設備の各々を構成する複数の機器の情報が含まれ、
前記第２ステップは、
表示モードが第１モードである場合、前記設備情報に基づいて、前記複数の設備と前記複数の機器と前記複数の計測器との関係をツリー状階層構造で表す第１階層画像を含む画像のデータを前記監視画像の情報として生成し、
前記表示モードが第２モードである場合、前記複数の設備をモデル化した情報であって設備モデル要素、複数の機器モデル要素、および複数の計測器モデル要素の各々の情報を含む設備モデル情報を記憶する設備モデル情報記憶部に記憶された前記設備モデル情報に基づいて、前記設備モデル要素と前記複数の機器モデル要素と前記複数の計測器モデル要素との関係をツリー状階層構造で表す第２階層画像を含む画像のデータを前記監視画像の情報として生成する
ことを特徴とする監視画像情報生成方法。
【請求項１３】
複数の設備の状態を計測する複数の計測器の各々を識別する第１識別子と前記複数の計測器のうち対応する計測器の種別に割り当てられた第２識別子とが互いに関連付けられ且つ前記複数の設備の各々を構成する複数の機器の情報を含む設備情報を記憶する設備情報記憶部に記憶された前記設備情報に基づいて、前記複数の設備と前記複数の機器と前記複数の計測器との関係をツリー状階層構造で表す階層画像を含む画像を表示部に表示させる第１ステップと、
前記設備情報記憶部に記憶された前記設備情報に基づいて、前記表示部に表示された前記階層画像に含まれる前記複数の計測器のうち選択された計測器に関連付けられた第２識別子と同じ第２識別子が関連付けられた１以上の計測器を１以上の関連計測器として判定する第２ステップと、
前記選択された計測器の計測値の時間変化を示すトレンドグラフと前記第２ステップによって判定された前記１以上の関連計測器の計測値の時間変化を示すトレンドグラフとを含む監視画像の情報を生成する第３ステップと、をコンピュータに実行させる
ことを特徴とする監視画像情報生成プログラム。
【請求項１４】
複数の設備の状態を計測する複数の計測器の各々を識別する第１識別子と前記複数の計測器のうち対応する計測器の種別に割り当てられた第２識別子とが互いに関連付けられた設備情報を記憶する設備情報記憶部に記憶された前記設備情報に基づいて、前記複数の計測器のうち選択された計測器に関連付けられた第２識別子と同じ第２識別子が関連付けられた１以上の計測器を１以上の関連計測器として判定する第１ステップと、
前記選択された計測器の計測値の時間変化を示すトレンドグラフと前記第１ステップによって判定された前記１以上の関連計測器の計測値の時間変化を示すトレンドグラフとを含む監視画像の情報を生成する第２ステップと、をコンピュータに実行させ、
前記設備情報には、
前記複数の設備の各々を構成する複数の機器の情報が含まれ、
前記第２ステップは、
表示モードが第１モードである場合、前記設備情報に基づいて、前記複数の設備と前記複数の機器と前記複数の計測器との関係をツリー状階層構造で表す第１階層画像を含む画像のデータを前記監視画像の情報として生成し、
前記表示モードが第２モードである場合、前記複数の設備をモデル化した情報であって設備モデル要素、複数の機器モデル要素、および複数の計測器モデル要素の各々の情報を含む設備モデル情報を記憶する設備モデル情報記憶部に記憶された前記設備モデル情報に基づいて、前記設備モデル要素と前記複数の機器モデル要素と前記複数の計測器モデル要素との関係をツリー状階層構造で表す第２階層画像を含む画像のデータを前記監視画像の情報として生成する
ことを特徴とする監視画像情報生成プログラム。
【発明の詳細な説明】
【技術分野】
【０００１】
本発明は、複数の設備を監視する監視システム、監視画像情報生成方法、および監視画像情報生成プログラムに関する。
【背景技術】
【０００２】
従来、プラントなどの施設に設けられた複数の設備を監視する監視システムでは、各設備の状態を計測する計測器から収集した計測値または計測値の時間変化を示すトレンドグラフなどを表示することにより、設備の状態をリアルタイムでユーザに知らせている。例えば、特許文献１には、互いに関連する複数の計測器の情報を記憶するデータベースに基づいて、関連する複数の計測器のうち対応する計測器の計測値の時間変化を各々示す複数のトレンドグラフを並べて表示する技術が開示されている。
【先行技術文献】
【特許文献】
【０００３】
【特許文献１】特開２０１７−２１５８８１号公報
【発明の概要】
【発明が解決しようとする課題】
【０００４】
しかしながら、特許文献１に記載の技術では、関連するトレンドグラフを表示させることに留まり、どのような方法で複数の計測器を関連付けてトレンドグラフを表示させるかについての具体的な記載はない。【０００５】
本発明は、上記に鑑みてなされたものであって、複数の計測器の関連付けを容易に行うことができる監視システムを得ることを目的とする。
【課題を解決するための手段】
【０００６】
上述した課題を解決し、目的を達成するために、本発明の監視システムは、設備情報記憶部と、表示処理部と、判定部と、を備える。設備情報記憶部は、複数の設備の状態を計測する複数の計測器の各々を識別する第１識別子と複数の計測器のうち対応する計測器の種別に割り当てられた第２識別子とが互いに関連付けられ且つ前記複数の設備の各々を構成する複数の機器の情報を含む設備情報を記憶する。表示処理部は、設備情報記憶部に記憶された設備情報に基づいて、複数の設備と複数の機器と複数の計測器との関係をツリー状階層構造で表す階層画像を含む画像を表示部に表示させる。判定部は、設備情報記憶部に記憶された設備情報に基づいて、表示部に表示された階層画像に含まれる複数の計測器のうち選択された計測器に関連付けられた第２識別子と同じ第２識別子が関連付けられた１以上の計測器を１以上の関連計測器として判定する。表示処理部は、選択された計測器の計測値の時間変化を示すトレンドグラフと判定部によって判定された１以上の関連計測器の計測値の時間変化を示すトレンドグラフとを含む監視画像を表示部に表示させる。表示処理部は、選択された計測器の計測値の時間変化を示すトレンドグラフと判定部によって判定された前記１以上の関連計測器の計測値の時間変化を示すトレンドグラフとを含む監視画像を表示部に表示させる。
【発明の効果】
【０００７】
本発明によれば、複数の計測器の関連付けを容易に行うことができる、という効果を奏する。
【図面の簡単な説明】
【０００８】
【図１】本発明の実施の形態１にかかる監視システムの構成の一例を示す図
【図２】実施の形態１にかかる計測情報記憶部に記憶される計測情報の一例を示す図
【図３】実施の形態１にかかる設備モデル情報記憶部に記憶される設備モデル情報の一例を示す図
【図４】実施の形態１にかかるモデル要素間の関係をツリー状階層構造で示す図
【図５】実施の形態１にかかる設備情報記憶部に記憶される設備情報の一例を示す図
【図６】実施の形態１にかかる実体要素間の関係をツリー状階層構造で示す図
【図７】実施の形態１にかかる監視装置によって表示部に表示される監視画像の一例を示す図
【図８】実施の形態１にかかる監視装置によって表示部に表示される監視画像の他の例を示す図
【図９】実施の形態１にかかる監視装置によって表示部に表示されるトレンドグラフを含む監視画像の一例を示す図
【図１０】実施の形態１にかかる監視装置によって表示部に表示されるトレンドグラフを含む監視画像の他の例を示す図
【図１１】実施の形態１にかかる監視装置の処理部による処理の一例を示すフローチャート
【図１２】実施の形態１にかかる監視装置の処理部による監視画像表示処理の一例を示すフローチャート
【図１３】実施の形態１にかかる監視装置の処理部によるグラフ表示処理の一例を示すフローチャート
【図１４】実施の形態１にかかる監視装置の処理部による関連計測器判定処理の一例を示すフローチャート
【図１５】実施の形態１にかかる監視装置の処理部による階層切り替え処理の一例を示すフローチャート
【図１６】実施の形態１にかかる監視装置のハードウェア構成の一例を示す図
【図１７】本発明の実施の形態２にかかる監視システムの構成の一例を示す図
【図１８】実施の形態２にかかる監視装置の第２判定部による関連計測器判定処理の一例を示すフローチャート
【図１９】本発明の実施の形態３にかかる監視システムの構成の一例を示す図
【図２０】実施の形態３にかかる計測情報記憶部に記憶される計測情報の一例を示す図
【図２１】実施の形態３にかかる監視装置の第２判定部による関連計測器判定処理の一例を示すフローチャート
【図２２】本発明の実施の形態４にかかる監視システムの構成の一例を示す図
【図２３】実施の形態４にかかる監視装置の第２判定部による関連計測器判定処理の一例を示すフローチャート
【発明を実施するための形態】
【０００９】
以下に、本発明の実施の形態にかかる監視システム、監視画像情報生成方法、および監視画像情報生成プログラムを図面に基づいて詳細に説明する。なお、この実施の形態によりこの発明が限定されるものではない。
【００１０】
実施の形態１．
図１は、本発明の実施の形態１にかかる監視システムの構成の一例を示す図である。図１に示す監視システム１００は、監視装置１と、操作部６と、表示部７とを備える。監視装置１は、操作部６へのユーザの操作に基づいて、施設２に設けられた複数の設備３１，３２，・・・，３ｎの状態を監視するための監視画像を表示部７に表示する。ｎは、例えば、３以上の整数である。操作部６は、例えば、キーボードおよびマウス、またはウェアラブルデバイスである。また、表示部７は、例えば、ＬＣＤ（Liquid  Crystal  Display）または有機ＥＬ（ElectroLuminescence）ディスプレイである。
【００１１】
施設２は、複数の設備３１，３２，・・・，３ｎと、複数の設備３１，３２，・・・，３ｎの状態を計測する複数の計測器５１，５２，５３，５４，５５，５６，・・・，５ｍ−２，５ｍ−１，５ｍとを含む。ｍは、例えば、９以上の整数である。以下、複数の設備３１，３２，・・・，３ｎの各々を個別に区別せずに示す場合、複数の設備３と記載する場合があり、複数の計測器５１，５２，５３，５４，５５，５６，・・・，５ｍ−２，５ｍ−１，５ｍの各々を個別に区別せずに示す場合、計測器５と記載する場合がある。
【００１２】
監視装置１は、施設２に設けられた複数の設備３の状態を計測する複数の計測器５の計測値に基づいて、施設２に設けられた複数の設備３の状態を監視するための監視画像の情報を生成する。
【００１３】
複数の設備３１，３２，・・・，３ｎには、複数の機器４１，４２，４３，４４，・・・，４ｋ−１，４ｋが設けられる。ｋは、例えば、６以上の整数である。具体的には、設備３１には、複数の機器４１，４２が設けられ、設備３２には、複数の機器４３，４４が設けられ、設備３ｎには、複数の機器４ｋ−１，４ｋが設けられている。以下、複数の機器４１，４２，４３，４４，・・・，４ｋ−１，４ｋの各々を個別に区別せずに示す場合、機器４と記載する場合がある。
【００１４】
以下において、施設２が下水処理場であるものとして説明するが、施設２は、例えば、工場、発電所、変電所、または製油施設などのプラントであってよい。施設２が下水処理場である場合、施設２には、沈砂池、最初沈殿池、エアレーションタンク、最終沈殿池、および塩素混和池などの設備が含まれる。なお、以下において、ｎは５であるとする。また、設備３１は、沈砂池であり、設備３２は、最初沈殿池であり、設備３３は、エアレーションタンクであり、設備３４は、最終沈殿池であり、設備３５は、塩素混和池であるものとする。
【００１５】
また、以下において、ｍは１５であり、ｋは１０であるとする。計測器５７，５８，５９は、設備３３の状態を計測する計測器であり、計測器５１０，５１１，５１２は、設備３４の状態を計測する計測器であるものとする。また、機器４５，４６は、設備３３に含まれ、機器４７，４８は、設備３４に含まれるとする。
【００１６】
沈砂池は、流入した汚水に含まれる比較的大きなごみおよび砂などを取り除く。最初沈殿池は、汚水に含まれる比較的小さなごみおよび砂を底に沈殿させ、汚水から比較的小さなごみおよび砂を取り除く。エアレーションタンクは、汚水に活性汚泥を加えて空気を吹き込むことで、汚水中の有機物を取り除く。最終沈殿池は、エアレーションタンクから流入する活性汚泥混合液を上澄み水と活性汚泥とに分離する。塩素混和池は、最終沈殿池から流入する上澄み水に塩素を加えて滅菌を行う。
【００１７】
複数の計測器５１，５２，５３，５４，５５，５６，・・・，５ｍ−１，５ｍの各々は、複数の設備３１，３２，・・・，３ｎのうち対応する設備３の状態を計測し、計測した結果を示す計測値を無線または有線によって監視装置１へ送信する。
【００１８】
計測器５によって計測される設備３の状態は、例えば、設備３を構成する機器４によって変化する設備３内部の状態を含む。設備３を構成する機器４は、ポンプまたはブロワなどである。また、計測器５は、ポンプによって送られる汚水または上澄み水の水量を計測する流量センサ、または汚水または上澄み水のｐＨ（potential  Hydrogen）値を検出するｐＨセンサである。なお、設備３を構成する機器４は、ポンプまたはブロワに限定されず、計測器５は、流量センサまたはｐＨセンサに限定されない。
【００１９】
監視装置１は、図１に示すように、記憶部１０と、計測情報取得部１１と、操作受付部１２と、処理部１３とを備える。記憶部１０は、計測情報記憶部２１と、設備モデル情報記憶部２２と、設備情報記憶部２３と、部品情報記憶部２４とを備える。計測情報取得部１１は、各計測器５に無線または有線で通信可能に接続される。
【００２０】
計測情報取得部１１は、各計測器５から繰り返し出力される計測値を取得し、取得した計測値を計測情報記憶部２１に記憶させる。
【００２１】
計測情報記憶部２１は、計測情報取得部１１によって取得された複数の計測器５１，５２，５３，５４，５５，５６，・・・，５ｍ−１，５ｍの計測値を含む計測情報を記憶する。図２は、実施の形態１にかかる計測情報記憶部に記憶される計測情報の一例を示す図である。
【００２２】
図２に示す計測情報６０では、施設２の要素毎に、「要素ＩＤ（Identifier）」、「今回の計測値」、「過去の計測値」、および「単位」が互いに関連付けられている。施設２の要素は、設備３、機器４、または、計測器５である。以下、後述するモデル要素との区別を明確にするために、施設２の要素を実体要素と記載する場合がある。
【００２３】
「要素ＩＤ」は、施設２における実体要素に固有の識別情報であり、数字で表される。要素ＩＤは、第１識別子の一例である。「今回の計測値」は、実体要素が計測器５である場合、計測器５から得られる最新の計測値である。実体要素が設備３または機器４である場合、「今回の計測値」は、設備３または機器４の累積稼働時間である。
【００２４】
「過去の計測値」は、複数の計測器５のうち対応する計測器５から過去に得られた複数の計測値であり、計測時刻順に配列されている。「単位」は、実体要素が計測器５である場合、計測器５から得られる計測値の単位である。また、「単位」は、実体要素が施設２または設備３である場合、時間であるが、分、または日であってもよい。
【００２５】
次に、図１に示す設備モデル情報記憶部２２について説明する。設備モデル情報記憶部２２は、設備モデル情報を記憶する。設備モデル情報は、設備３をモデル化した複数のモデル要素の情報を含む。複数のモデル要素は、設備モデル要素、機器モデル要素、および計測器モデル要素を含む。設備モデル要素は、設備３に対応するモデル要素であり、機器モデル要素は、機器４に対応するモデル要素であり、計測器モデル要素は、計測器５に対応するモデル要素である。
【００２６】
以下においては、設備モデル情報は、１種類であるものとして説明するが、設備モデル情報は、全ての設備３が共通の設備モデル情報でモデル化できない場合、複数種類の設備モデル情報が設備モデル情報記憶部２２に記憶されていてもよい。
【００２７】
図３は、実施の形態１にかかる設備モデル情報記憶部に記憶される設備モデル情報の一例を示す図である。図３に示す設備モデル情報６１では、モデル要素毎に「モデル要素ＩＤ」、「モデル要素名」、「子モデル要素ＩＤ」、および「属性」が互いに関連付けられている。
【００２８】
「モデル要素ＩＤ」は、モデル要素に固有の識別情報である。モデル要素ＩＤは、第２識別子の一例である。「モデル要素名」は、モデル要素の名称である。図３に示す例では、設備モデル要素のモデル要素名が「設備」であり、機器モデル要素のモデル要素名が「機器１」または「機器２」であり、計測器モデル要素のモデル要素名が「計測器１」または「計測器２」である。
【００２９】
「子モデル要素ＩＤ」は、複数のモデル要素の関係を表すツリー状階層構造において、「モデル要素ＩＤ」で特定されるモデル要素の直下層に位置する他のモデル要素のモデル要素ＩＤである。例えば、図３に示す例では、モデル要素ＩＤ「００１」のモデル要素には、子モデル要素ＩＤ「００２」が関連付けられており、モデル要素ＩＤ「００１」のモデル要素の直下層に位置するモデル要素が、モデル要素ＩＤ「００２」のモデル要素であることが示される。
【００３０】
同様に、モデル要素ＩＤ「００２」のモデル要素の直下層に位置するモデル要素が、モデル要素ＩＤ「００４」のモデル要素であることが示される。また、モデル要素ＩＤ「００３」のモデル要素の直下層に位置するモデル要素が、モデル要素ＩＤ「００４」，「００５」のモデル要素であることが示される。
【００３１】
処理部１３は、モデル要素ＩＤおよび子モデル要素ＩＤを用いることで、複数のモデル要素をツリー状階層構造で示す画像の情報を生成することができる。図４は、実施の形態１にかかるモデル要素間の関係をツリー状階層構造で示す図である。図４に示すように、設備モデル情報６１が図３に示す状態である場合、モデル要素ＩＤ「００１」のモデル要素である「設備」が最上層に位置する。また、モデル要素ＩＤ「００１」のモデル要素の直下層にモデル要素ＩＤ「００２」のモデル要素である「機器１」とモデル要素ＩＤ「００３」のモデル要素である「機器２」とが位置する。
【００３２】
また、モデル要素ＩＤ「００２」のモデル要素の直下層にモデル要素ＩＤ「００４」のモデル要素である「計測器１」が位置する。また、モデル要素ＩＤ「００３」のモデル要素の直下層にモデル要素ＩＤ「００４」のモデル要素である「計測器１」とモデル要素ＩＤ「００５」のモデル要素である「計測器２」とが位置する。
【００３３】
図３に示す「属性」は、モデル要素の属性を示す情報であり、例えば、設置日、保守点検周期、稼働時間、設備点検時期、担当者、製造日、水量、またはｐＨ値などである。例えば、モデル要素ＩＤ「００１」のモデル要素の属性は、「設置日」、「保守点検周期」、または「稼働時間」である。モデル要素ＩＤ「００２」のモデル要素の属性は、「設置日」、「保守点検周期」、「稼働時間」、または「設備点検時期」である。
【００３４】
モデル要素ＩＤ「００３」のモデル要素の属性は、「設置日」、「保守点検周期」、「稼働時間」、「設備点検時期」、または「担当者」である。モデル要素ＩＤ「００４」のモデル要素の属性は、「製造日」または「水量」であり、モデル要素ＩＤ「００５」のモデル要素の属性は、「製造日」または「ｐＨ値」である。
【００３５】
次に、図１に示す設備情報記憶部２３について説明する。設備情報記憶部２３は、設備情報を記憶する。設備情報は、複数の実体要素の情報を含む。複数の実体要素は、複数の設備３、複数の機器４、および複数の計測器５を含む。
【００３６】
図５は、実施の形態１にかかる設備情報記憶部に記憶される設備情報の一例を示す図である。図５に示す設備情報６２では、実体要素毎に「要素ＩＤ」、「要素名」、「モデル要素ＩＤ」、および「属性」が互いに関連付けられている。
【００３７】
「要素ＩＤ」は、実体要素に固有の識別情報である。図５に示す例では、要素ＩＤ「１０００１」の実体要素は、設備３１であり、要素ＩＤ「１０００２」の実体要素は、機器４１であり、要素ＩＤ「１０００３」の実体要素は、機器４２である。要素ＩＤ「１０００４」の実体要素は、計測器５１であり、要素ＩＤ「１０００５」の実体要素は、計測器５２であり、要素ＩＤ「１０００６」の実体要素は、計測器５３である。
【００３８】
要素ＩＤ「１０００７」の実体要素は、設備３２であり、要素ＩＤ「１０００８」の実体要素は、機器４３であり、要素ＩＤ「１０００９」の実体要素は、機器４４である。要素ＩＤ「１００１０」の実体要素は、計測器５４であり、要素ＩＤ「１００１１」の実体要素は、計測器５５であり、要素ＩＤ「１００１２」の実体要素は、計測器５６である。
【００３９】
「要素名」は、実体要素の名称である。例えば、図５に示す例では、要素ＩＤ「１０００１」の実体要素の名称は「沈砂池」であり、要素ＩＤ「１０００２」の実体要素の名称は、「汚水ポンプ１」であり、要素ＩＤ「１０００３」の実体要素の名称は、「汚水ポンプ２」である。要素ＩＤ「１０００４」および「１０００５」の実体要素の名称は「流量センサ」であり、要素ＩＤ「１０００６」の実体要素の名称は、「ｐＨセンサ」である。
【００４０】
要素ＩＤ「１０００７」の実体要素の名称は「最初沈殿池」であり、要素ＩＤ「１０００８」の実体要素の名称は、「汚水ポンプ１」であり、要素ＩＤ「１０００９」の実体要素の名称は、「汚水ポンプ２」である。要素ＩＤ「１００１０」および「１００１１」の実体要素の名称は「流量センサ」であり、要素ＩＤ「１００１２」の実体要素の名称は、「ｐＨセンサ」である。
【００４１】
「モデル要素ＩＤ」は、上述した設備モデル情報６１に含まれるモデル要素ＩＤと同じであり、実体要素の種別を示す識別情報である。実体要素には複数のモデル要素のうち対応するモデル要素がある場合、モデル要素ＩＤが関連付けられる。図５に示す例では、要素ＩＤ「１０００１」および「１０００７」の実体要素には、モデル要素名「設備」であるモデル要素の識別情報である「００１」が関連付けられている。要素ＩＤ「１０００２」および「１０００８」の実体要素には、モデル要素名「機器１」であるモデル要素の識別情報である「００２」が関連付けられている。
【００４２】
要素ＩＤ「１０００３」および「１０００９」の実体要素には、モデル要素名「機器２」であるモデル要素の識別情報である「００３」が関連付けられている。要素ＩＤ「１０００４」、「１０００５」、「１００１０」、および「１００１１」の実体要素には、モデル要素名「計測器１」であるモデル要素の識別情報である「００４」が関連付けられている。要素ＩＤ「１０００６」および「１００１２」の実体要素には、モデル要素名「計測器２」であるモデル要素の識別情報である「００５」が関連付けられている。
【００４３】
このように、設備情報６２において、実体要素の要素ＩＤがモデル要素ＩＤに関連付けられており、複数の実体要素が複数のモデル要素に関連付けられている。すなわち、設備３をモデル化した複数のモデル要素に複数の実体要素が関連付けられている。そのため、複数の設備３に含まれる複数の実体要素に対して設備３間で同一のモデル要素を関連付けることで、複数の設備３に含まれる複数の実体要素を設備３間で容易に関連付けることができる。したがって、監視システム１００では、監視システム１００を設定する設置者または監視システム１００の利用者の利便性を向上させることができる。
【００４４】
また、ツリー状階層構造で表すことができるモデル要素を用いることによって、複数の実体要素をツリー状階層構造で表せる。処理部１３は、設備情報６２および設備モデル情報６１に基づき、複数の実体要素をツリー状階層構造で表す画像の情報を生成する。図６は、実施の形態１にかかる実体要素間の関係をツリー状階層構造で示す図である。図６に示す例では、設備モデル情報６１が図３に示す状態且つ設備情報６２が図４に示す状態である場合の実体要素間の関係をツリー状階層構造が示されている。
【００４５】
具体的には、モデル要素ＩＤ「００１」に関連付けられた実体要素である「沈砂池」および「最初沈殿池」が最上層に位置する。また、モデル要素ＩＤ「００２」および「００３」に関連付けられた実体要素である「汚水ポンプ１」および「汚水ポンプ２」が「沈砂池」および「最初沈殿池」の各々の直下層に位置する。モデル要素ＩＤ「００４」に関連付けられた実体要素である「流量センサ」が「汚水ポンプ１」および「汚水ポンプ２」の各々の直下層に位置する。また、モデル要素ＩＤ「００５」に関連付けられた実体要素である「ｐＨセンサ」が「汚水ポンプ２」の直下層に位置する。
【００４６】
機器４は、要素ＩＤの値が小さい順に、要素ＩＤの値が小さい計測器５から割り当てられる。具体的には、機器４１である「汚水ポンプ１」に要素ＩＤ「１０００４」の計測器５１が割り当てられ、機器４２である「汚水ポンプ２」に要素ＩＤ「１０００５」の計測器５２が割り当てられる。
【００４７】
また、図６に示す例では、２つの設備３が同じ設備モデル情報６１によるツリー状階層構造で表されているが、残りの設備３も図６に示す２つの設備３と同じ設備モデル情報６１によるツリー状階層構造で表される。各設備３は、実体設備の構成と同じ構成のモデルを表す設備モデル情報６１に関連付けられる。上述した例では、全ての設備３で同一の設備モデル情報６１が用いられるが、一部の設備３における実体設備の構成が残りの設備３における実体設備の構成と異なる場合、一部の設備３と残りの設備３とは互いに異なる設備モデル情報６１に関連付けられてもよい。
【００４８】
このように、処理部１３は、設備モデル情報６１に基づいて、モデル要素間の関係を示すツリー状階層構造を示す画像の情報を生成することができる。また、処理部１３は、設備情報６２および設備モデル情報６１に基づいて、実体要素間の関係を示すツリー状階層構造を示す画像の情報を生成することができる。なお、設備情報６２には、各実体要素の階層関係を示す情報が含まれていてもよい。この場合、処理部１３は、設備モデル情報６１を用いることなく複数の実体要素の関係をツリー状階層構造で示す画像の情報を生成することができる。
【００４９】
「属性」は、実体要素の属性の情報であり、図３に示す「属性」に対応する情報であり、例えば、実体要素の設置日、実体要素の製造日、実体要素の保守点検周期、実体要素の稼働時間、実体要素の設備点検時期、または実体要素の点検の担当者などである。
【００５０】
図示していないが、設備３３，３４，３５には、モデル要素ＩＤ「００１」が関連付けられ、機器４５，４７，４９には、モデル要素ＩＤ「００２」が関連付けられ、機器４６，４８，４１０には、モデル要素ＩＤ「００３」が関連付けられる。また、計測器５７，５８，５１０，５１１，５１３，５１４には、モデル要素ＩＤ「００４」が関連付けられ、計測器５９，５１２，５１５には、モデル要素ＩＤ「００５」が関連付けられる。
【００５１】
なお、処理部１３は、図５に示す設備情報６２のうちモデル要素ＩＤを含まない情報であってもよい。この場合、処理部１３は、設備情報６２のうちモデル要素ＩＤを含まない情報を用いて、実体要素に関連付けられるモデル要素を判定し、かかる判定結果に基づいて、実体要素の要素ＩＤにモデル要素ＩＤを関連付けた設備情報６２を生成する紐付部を有する構成であってもよい。処理部１３の紐付部は、例えば、図５に示す「要素名」から各実体要素の要素ＩＤと関連度が最も高いモデル要素ＩＤを判定することができる。例えば、紐付部は、各々異なる用語が複数のモデル要素ＩＤのうち対応するモデル要素ＩＤに割り当てられた関連情報を有し、かかる関連情報に基づいて、実体要素の「要素名」に含まれる用語に割り当てられたモデル要素ＩＤを実体要素の要素ＩＤに関連付けることができる。
【００５２】
また、処理部１３の紐付部は、図５に示す「要素名」と「属性」とを入力としモデル要素ＩＤとの関連度を出力とする計算モデルをモデル要素ＩＤ毎に有する構成であってもよい。この場合、紐付部は、実体要素の「要素名」と「属性」を各モデル要素ＩＤの計算モデルへ入力し、出力される関連度のうち最も高い計算モデルのモデル要素ＩＤを実体要素の要素ＩＤに関連付けることができる。計算モデルは、例えば機械学習などによって生成することもできる。
【００５３】
また、図５に示す例では、各設備３１，３２の全ての実体要素が図３に示す複数のモデル要素のいずれかに関連付けられるが、モデル要素の実体要素への関連付けは上述した例に限定されない。例えば、各設備３における複数の実体要素のうち１つ以上の実体要素にモデル要素が関連付けられなくてもよい。
【００５４】
図１に戻って、監視システム１００の監視装置１の説明を続ける。記憶部１０の部品情報記憶部２４は、監視画像を構成する複数の部品の情報を含む部品情報を記憶する。各部品は、例えば、計測器５の計測値を表示するシンボルであり、水量値を表示するシンボル、ｐＨ値を表示するシンボル、水量値の時間変化を示すグラフシンボル、またはｐＨ値の時間変化を示すグラフシンボルなどである。なお、部品は、上述した例に限定されず、計測値に従い画像の変更が行われる画像シンボル、計測値に従い色または挙動の変更が行われるシンボルなどであってもよい。
【００５５】
操作受付部１２は、操作部６へのユーザの操作を受け付け、受け付けたユーザの操作の情報を処理部１３へ通知する。処理部１３は、操作受付部１２によって受け付けられたユーザの操作の情報に基づいて、施設２の状態を監視するための監視画像の情報を生成し、生成した監視画像の情報に基づいて表示部７に監視画像を表示させる。処理部１３は、例えば、記憶部１０に記憶された計測情報６０、設備モデル情報６１、設備情報６２、および部品情報などに基づいて、監視画像の情報を生成する。監視画像の情報は、例えば、ＨＴＭＬ（HyperText  Markup  Language）データ、静止画像データ、動画像データ、またはスプリクトなどといった画像生成用のデータに基づいて画像データである。なお、出力部４４から不図示の外部装置へ監視画像の情報が出力される場合、出力部４４から不図示の外部装置へ出力される監視画像の情報は、ＨＴＭＬデータ、画像データ、およびスプリクトなどを含む情報であってもよい。
【００５６】
図７は、実施の形態１にかかる監視装置によって表示部に表示される監視画像の一例を示す図である。図８は、実施の形態１にかかる監視装置によって表示部に表示される監視画像の他の例を示す図である。図９は、実施の形態１にかかる監視装置によって表示部に表示されるトレンドグラフを含む監視画像の一例を示す図である。図１０は、実施の形態１にかかる監視装置によって表示部に表示されるトレンドグラフを含む監視画像の他の例を示す図である。
【００５７】
図７に示す監視画像７０は、監視画像領域７１と、要素選択領域７２とを含む。監視画像領域７１には、部品７３１，７３２，７３３，７３４，７３５，７３６，７３７，７３８，７３９，７３１０，７３１１，７３１２，７３１３，７３１４，７３１５と、背景画像７４とが配置される。以下、部品７３１，７３２，７３３，７３４，７３５，７３６，７３７，７３８，７３９，７３１０，７３１１，７３１２，７３１３，７３１４，７３１５の各々を個別に区別せずに示す場合、部品７３と記載する場合がある。
【００５８】
図７に示す部品７３は、複数の計測器５のうち対応する計測器５の計測値を表示するためのシンボルであり、水量値シンボルまたはｐＨシンボルである。例えば、部品７３１，７３２，７３４，７３５，７３７，７３８，７３１０，７３１１，７３１３，７３１４は、水量値シンボルであり、部品７３３，７３６，７３９，７３１２，７３１５は、ｐＨシンボルである。
【００５９】
部品７３１には計測器５１の計測値が表示され、部品７３２には計測器５２の計測値が表示され、部品７３３には計測器５３の計測値が表示される。部品７３４には計測器５４の計測値が表示され、部品７３５には計測器５６の計測値が表示され、部品７３６には計測器５６の計測値が表示される。部品７３７には計測器５７の計測値が表示され、部品７３８には計測器５８の計測値が表示され、部品７３９には計測器５９の計測値が表示される。部品７３１０には計測器５１０の計測値が表示され、部品７３１１には計測器５１１の計測値が表示され、部品７３１２には計測器５１２の計測値が表示される。部品７３１３には計測器５１３の計測値が表示され、部品７３１４には計測器５１４の計測値が表示され、部品７３１５には計測器５１５の計測値が表示される。
【００６０】
要素選択領域７２には、複数の実体要素の情報または複数のモデル要素の情報がツリー状階層構造で配置される要素配置領域７５と、実体選択ボタン７６と、モデル選択ボタン７７と、スクロールバー７８とが配置される。要素配置領域７５は、設備情報記憶部２３に記憶された設備情報６２または設備モデル情報記憶部２２に記憶された設備モデル情報６１に基づいて処理部１３によって生成される。
【００６１】
例えば、操作部６へのユーザ操作によって実体選択ボタン７６が操作されたとする。この場合、処理部１３は、設備情報記憶部２３に記憶された設備情報６２に基づいて、図７に示すように、要素配置領域７５に複数の実体要素の情報をツリー状階層構造で配置した監視画像の情報を生成する。実体選択ボタン７６の操作は、例えば、マウスでカーソール７９を移動させ、実体選択ボタン７６上でクリック操作を行うことで行われる。
【００６２】
図７に示す要素配置領域７５には、設備３１の名称として「沈砂池」が含まれ、設備３１の属性の情報として「設置日:２０００／１０／０１」および「保守点検周期：６ヶ月」が含まれる。また、要素配置領域７５には、機器４１の名称として「汚水ポンプ１」が含まれ、機器４１の属性の情報として「設置日:２０００／１０／０１」、「保守点検周期：３ヶ月」、および「設備点検時期：２０１９／１０／０１」が含まれる。
【００６３】
また、要素配置領域７５には、計測器５１の名称として「流量センサ」が含まれ、計測器５１の属性の情報として「製造日:２０００／５／２１」、計測器５１の計測値の情報として「水量：１０１．３ｋｌ」が含まれる。また、要素配置領域７５には、機器４２の名称として「汚水ポンプ２」が含まれ、機器４２の属性の情報として「設置日:２０００／１０／０１」、「保守点検周期：２ヶ月」、「設備点検時期：２０１９／０９／０１」、および「担当者：佐藤」が含まれる。なお、図７に示す要素配置領域７５の画像は、第１階層画像の一例である。
【００６４】
また、操作部６へのユーザ操作によってモデル選択ボタン７７が操作されたとする。この場合、処理部１３は、設備モデル情報記憶部２２に記憶された設備モデル情報６１に基づいて、要素配置領域７５に複数のモデル要素の情報をツリー状階層構造で配置した監視画像の情報を生成する。これにより、処理部１３は、図８に示す監視画像７０を表示部７に表示させる。なお、モデル選択ボタン７７の操作は、例えば、マウスでカーソール７９を移動させ、モデル選択ボタン７７上でクリック操作を行うことで行われる。
【００６５】
図８に示す要素配置領域７５には、設備モデル要素の名称として「設備」が含まれ、設備モデルの属性の情報として「設置日」および「保守点検周期」が含まれる。また、要素配置領域７５には、機器モデル要素の名称として「機器１」が含まれ、機器モデル要素の属性の情報として「設置日」、「保守点検周期」、および「設備点検時期」が含まれる。また、要素配置領域７５には、計測器モデル要素の名称として「計測器１」が含まれる。また、要素配置領域７５には、機器モデル要素の名称として「機器２」が含まれ、計測器モデル要素の属性の情報として「設置日」、「保守点検周期」、「設備点検時期」、および「担当者」が含まれる。なお、図８に示す要素配置領域７５の画像は、第２階層画像の一例である。
【００６６】
図７および図８に示す要素配置領域７５は、スクロールバー７８の操作によって図７および図８における上下方向にスクロール可能である。処理部１３は、操作部６へのユーザ操作によってスクロールバー７８が操作された場合に、監視画像７０の要素配置領域７５をスクロールする。
【００６７】
ここで、図７に示す監視画像７０において、要素配置領域７５に表示されている「流量センサ」または「水量：１０１．３ｋｌ」が操作部６へのユーザ操作によって選択されたとする。すなわち、監視画像７０において、計測器５１の情報が選択されたとする。この場合、処理部１３は、図９に示すように、複数のトレンドグラフが配置されたトレンドグラフ領域８２を含む監視画像８０の情報を生成し、生成した監視画像８０の情報に基づいて、監視画像８０を表示部７に表示させる。
【００６８】
図９に示す監視画像８０では、監視画像領域８１と要素配置領域７５とを含む。監視画像領域８１には、部品７３１，７３２，７３４，７３５，７３７，７３８，７３１０，７３１１，７３１３，７３１４と、背景画像７４と、トレンドグラフ領域８２と、スクロールバー８５，８６とが含まれる。部品７３１は、選択された計測器５１の計測値を表示する水量値シンボルである。部品７３２，７３４，７３５，７３７，７３８，７３１０，７３１１，７３１３，７３１４は、計測器５１に関連付けられたモデル要素ＩＤに関連付けられた他の計測器である計測器５２，５４，５５，５７，５８，５１０，５１１，５１３，５１４の計測値を表示する水量値シンボルである。
【００６９】
このように、監視画像８０には、選択された計測器５の計測値の情報に加え、選択された計測器５に関連付けられたモデル要素ＩＤと同じモデル要素ＩＤで関連付けられた他の計測器５の計測値の情報も含まれる。
【００７０】
また、監視画像８０のトレンドグラフ領域８２には、トレンドグラフ８３１，８３２，８３３，８３４，８３５，８３６が含まれる。トレンドグラフ８３１は、選択された計測器５１の計測値の時間変化を示すグラフであり、第１トレンドグラフの一例である。トレンドグラフ８３２，８３３，８３４，８３５，８３６は、選択された計測器５１に関連付けられたモデル要素ＩＤと同じモデル要素ＩＤで関連付けられた他の計測器５２，５４，５５，５７，５８の計測値の時間変化を示すトレンドグラフであり、第２トレンドグラフの一例である。
【００７１】
図９に示すトレンドグラフ領域８２では、トレンドグラフ８３２，８３４，８３６は一部が隠れている状態である。処理部１３は、操作部６へのユーザの操作によってスクロールバー８６への操作があった場合、トレンドグラフ８３２，８３４，８３６の各々の全体が現われている状態で表示部７に表示させることができる。
【００７２】
処理部１３は、操作部６へのユーザの操作によってスクロールバー８５への操作があった場合、他の計測器５１０，５１１，５１３，５１４の計測値の時間変化を示すトレンドグラフを含むトレンドグラフ領域８２を表示部７に表示させることができる。計測器５１０，５１１，５１３，５１４は、計測器５１に関連付けられたモデル要素ＩＤと同じモデル要素ＩＤで関連付けられた計測器５である。
【００７３】
このように、図９に示す監視画像８０のトレンドグラフ領域８２では、選択された計測器５のトレンドグラフに加え、選択された計測器５に関連付けられたモデル要素ＩＤと同じモデル要素ＩＤで関連付けられた他の計測器５のトレンドグラフも含まれる。これにより、監視システム１００のユーザは、互いに関連する複数の計測値の時間変化を同時に把握することができる。図９に示す監視画像８０では、互いに関連する複数の計測値として、各汚水ポンプ１による汚水または上澄み水の流量のトレンドグラフ８３１，８３２，８３３が示されている。
【００７４】
また、図８に示す監視画像７０において、要素配置領域７５に表示されているモデル要素の情報である「計測器１」が操作部６へのユーザ操作によって選択されたとする。この場合、処理部１３は、図１０に示すように、トレンドグラフ領域８２を含む監視画像８０の情報を生成し、生成した監視画像８０の情報に基づいて、監視画像８０を表示部７に表示させる。
【００７５】
図１０に示す監視画像８０では、複数の実体要素に代えて複数のモデル要素の情報がツリー状階層構造で要素配置領域７５に配置されている点以外は、図９に示す監視画像８０と同じである。
【００７６】
処理部１３は、選択された「計測器１」のモデル要素ＩＤに関連付けられた計測器５２，５４，５５，５７，５８，５１０，５１１，５１３，５１４の計測値を計測情報記憶部２１から取得する。そして、処理部１３は、取得した計測値に基づいて、計測器５２，５４，５５，５７，５８，５１０，５１１，５１３，５１４の計測値の時間変化を示すトレンドグラフを作成し、これらのトレンドグラフを含む監視画像８０の情報を生成する。
【００７７】
このように、図１０に示す監視画像８０では、選択されたモデル要素のモデル要素ＩＤに関連付けられた複数の計測器５のトレンドグラフが含まれる。これにより、監視システム１００のユーザは、関連する複数の計測値の時間変化を容易に把握することができる。
【００７８】
図１に戻って、監視装置１の処理部１３についてさらに具体的に説明する。図１に示すように、処理部１３は、第１情報取得部３１と、第１判定部３２と、第２判定部３３と、第２情報取得部３４と、表示処理部３５とを備える。表示処理部３５は、第１画像情報生成部４１と、第２画像情報生成部４２と、第３画像情報生成部４３と、出力部４４とを備える。
【００７９】
図７に示す監視画像７０を表示するための表示要求が操作受付部１２で受け付けられた場合、表示処理部３５は、表示モードを第１モードにする。また、図７に示す監視画像７０のモデル選択ボタン７７への操作が操作受付部１２で受け付けられた場合、表示処理部３５は、表示モードを第１モードから第２モードへ切り替える。また、図８に示す監視画像７０の実体選択ボタン７６への操作が操作受付部１２で受け付けられた場合、表示処理部３５は、表示モードを第２モードから第１モードへ切り替える。
【００８０】
第１情報取得部３１は、図７に示す監視画像７０を表示するための表示要求が操作受付部１２で受け付けられた場合、図７に示す監視画像７０の生成に用いる情報を計測情報記憶部２１、設備情報記憶部２３、および部品情報記憶部２４から取得する。
【００８１】
例えば、第１情報取得部３１は、各計測器５の計測値の情報を計測情報記憶部２１に記憶されている計測情報６０から抽出し、各実体要素の情報を設備情報記憶部２３に記憶されている設備情報６２から抽出する。また、第１情報取得部３１は、各計測器５に割り当てられた部品７３の情報を部品情報記憶部２４に記憶されている部品情報から取得する。
【００８２】
また、第１情報取得部３１は、図７に示す監視画像７０のモデル選択ボタン７７が操作された場合、図８に示す要素選択領域７２の生成に用いる情報を設備モデル情報記憶部２２に記憶された設備モデル情報６１から取得する。
【００８３】
また、第１情報取得部３１は、図８に示す監視画像７０が表示部７に表示されている状態で実体選択ボタン７６が操作された場合、図７に示す要素選択領域７２の生成に用いる情報を設備情報記憶部２３に記憶された設備情報６２から取得する。
【００８４】
表示処理部３５の第１画像情報生成部４１は、表示要求が操作受付部１２で受け付けられた場合、第１情報取得部３１によって取得された情報に基づいて、監視画像７０の監視画像領域７１の画像を表示部７に表示するための情報である第１画像情報を生成する。第１画像情報は、図７に示す監視画像領域７１に含まれる部品７３１〜７３１５および背景画像７４などの情報を含む。
【００８５】
また、表示処理部３５の第２画像情報生成部４２は、表示モードが第１モードである場合、第１情報取得部３１によって取得された複数の実体要素の情報に基づいて、監視画像７０の要素選択領域７２の画像を表示部７に表示するための情報である第２画像情報を生成する。また、第２画像情報生成部４２は、表示モードが第２モードである場合、第１情報取得部３１によって取得された各モデル要素の情報に基づいて、図８に示す要素選択領域７２の情報である第２画像情報を生成する。
【００８６】
第１判定部３２は、図７に示す監視画像７０または図９に示す監視画像８０において、ユーザによる操作部６への操作によって実体要素の選択が操作受付部１２で受け付けられた場合、選択された実体要素を対象要素として判定する。以下においては、選択された計測器５を対象計測器と記載する。例えば、第１判定部３２は、図７に示す監視画像７０において「流量センサ」または「水量：１０１．３ｋｌ」が選択された場合、計測器５１を対象計測器として判定する。
【００８７】
また、第１判定部３２は、図８に示す監視画像７０または図１０に示す監視画像８０において、ユーザによる操作部６への操作によってモデル要素の選択が操作受付部１２で受け付けられた場合、選択されたモデル要素を対象モデル計測器として判定する。また、第１判定部３２は、対象モデル計測器と同じモデル要素ＩＤに関連付けられた計測器５の１つを対象計測器として判定する。例えば、第１判定部３２は、図８に示す監視画像７０において「計測器１」が選択された場合、「計測器１」を対象モデル計測器とし、対象モデル計測器と同じモデル要素ＩＤ「００４」に関連付けられた計測器５のうち予め設定された条件を満たす計測器５を対象計測器として判定することができる。予め設定された条件は、例えば、最後に対象計測器と判定された計測器５、最も選択された頻度が高い計測器５、または計測値が予め設定された範囲から外れている計測器５などである。
【００８８】
また、第２判定部３３は、図７に示す監視画像７０または図９に示す監視画像８０において、第１判定部３２によって判定された対象計測器に関連付けられたモデル要素ＩＤと同じモデル要素ＩＤが関連付けられた計測器５を関連計測器として決定する。
【００８９】
例えば、図７に示す監視画像７０または図９に示す監視画像８０において、第１判定部３２によって判定された対象計測器が計測器５１であるとする。この場合、第２判定部３３は、計測器５１に関連付けられたモデル要素ＩＤと同じモデル要素ＩＤで関連付けられた計測器５２，５４，５５，５７，５８，５１０，５１１，５１３，５１４を関連計測器として判定する。
【００９０】
また、図８に示す監視画像７０または図１０に示す監視画像８０において、ユーザによる操作部６への操作によってモデル要素の選択が操作受付部１２で受け付けられたとする。この場合、第１判定部３２は、選択されたモデル要素を対象モデル計測器として判定し、対象モデル計測器のモデル要素ＩＤに関連付けられた計測器５を対象計測器として判定する。以下においては、選択されるモデル要素が計測器モデル要素であるものとして説明する。第１判定部３２によって判定された計測器モデル要素が「計測器１」である場合、第２判定部３３は、「計測器１」のモデル要素ＩＤ「０００４」と同じモデル要素ＩＤで関連付けられた計測器５２，５４，５５，５７，５８，５１０，５１１，５１３，５１４を関連計測器として判定する。
【００９１】
第２情報取得部３４は、対象計測器によって異なる時間で計測して得られる複数の計測値を計測情報記憶部２１から取得する。また、第２情報取得部３４は、関連計測器によって異なる時間で計測して得られる複数の計測値を計測情報記憶部２１から取得する。第２情報取得部３４で取得される複数の計測値は、例えば、図２に示す今回の計測値と過去の計測値である。
【００９２】
第２情報取得部３４は、対象計測器が計測器５１である場合、計測器５１の計測時間が異なる複数の計測値を計測情報記憶部２１から取得する。また、第２情報取得部３４は、関連計測器が計測器５２，５４，５５，５７，５８，５１０，５１１，５１３，５１４である場合、各計測器５２，５４，５５，５７，５８，５１０，５１１，５１３，５１４の計測時間が異なる複数の計測値を計測情報記憶部２１から取得する。
【００９３】
また、第２情報取得部３４は、対象計測器が計測器５３である場合、計測器５３の計測時間が異なる複数の計測値を計測情報記憶部２１から取得する。第２情報取得部３４は、関連計測器が計測器５３，５６，５９，５１２，５１５である場合、計測器５３，５６，５９，５１２，５１５の計測時間が異なる複数の計測値を計測情報記憶部２１から取得する。
【００９４】
表示処理部３５の第３画像情報生成部４３は、第２情報取得部３４によって取得された複数の計測値に基づいて、第１トレンドグラフの情報と第２トレンドグラフの情報を含むトレンドグラフ領域８２の情報を第３画像情報として生成する。
【００９５】
具体的には、第３画像情報生成部４３は、対象計測器の複数の計測値に基づいて、第１トレンドグラフの情報を生成する。第１トレンドグラフは、対象計測器の計測値の時間変化を示すグラフである。対象計測器が計測器５１である場合、図９に示すように、トレンドグラフ領域８２では、トレンドグラフ８３１が第１トレンドグラフである。
【００９６】
また、第３画像情報生成部４３は、第２情報取得部３４によって取得された関連計測器の複数の計測値に基づいて、第２トレンドグラフの情報を生成する。第２トレンドグラフは、関連計測器の計測値の時間変化を示すグラフである。対象計測器が計測器５２，５４，５５，５７，５８などである場合、図９に示すように、トレンドグラフ領域８２では、トレンドグラフ８３２，８３３，８３４，８３５，８３６が第２トレンドグラフである。
【００９７】
出力部４４は、第１画像情報生成部４１および第２画像情報生成部４２によって第１画像情報および第２画像情報が生成された場合、第１画像情報および第２画像情報を含む監視画像７０の情報を表示部７に表示させ、表示部７に監視画像７０の画像を表示させる。
【００９８】
また、出力部４４は、表示部７に監視画像７０の画像が表示されている状態から、第３画像情報生成部４３によって第３画像が生成された場合、第１画像情報、第２画像情報、および第３画像情報を含む監視画像８０の情報を表示部７に表示させ、表示部７に監視画像８０の画像を表示させる。
【００９９】
つづいて、監視装置１の処理部１３による処理をフローチャートを用いて説明する。図１１は、実施の形態１にかかる監視装置の処理部による処理の一例を示すフローチャートである。図１１に示す処理は、監視装置１の処理部１３によって繰り返し実行される。
【０１００】
図１１に示すように、監視装置１の処理部１３は、各計測器５から計測値を取得し、取得した計測値を記憶部１０に記憶する（ステップＳ１０）。次に、処理部１３は、監視画像表示要求があるか否かを判定する（ステップＳ１１）。ステップＳ１１において、処理部１３は、監視画像７０を表示するための表示要求が操作受付部１２で受け付けられた場合に監視画像表示要求があると判定する。
【０１０１】
処理部１３は、監視画像表示要求があると判定した場合（ステップＳ１１：Ｙｅｓ）、監視画像表示処理を行う（ステップＳ１２）。ステップＳ１２の監視画像表示処理は、図１２に示すステップＳ２０〜Ｓ２４の処理であり、後で詳述する。
【０１０２】
処理部１３は、ステップＳ１２の処理が終了した場合、または、監視画像表示要求がないと判定した場合（ステップＳ１１：Ｎｏ）、要素の選択があるか否かを判定する（ステップＳ１３）。ステップＳ１３において、処理部１３は、監視画像７０の要素選択領域７２または監視画像８０の要素選択領域７２において計測器５の情報またはモデル要素の情報が選択された場合に、要素の選択があると判定する。以下において、選択された要素が計測器５である場合、選択された要素を対象計測器と記載し、選択された要素がモデル要素の情報である場合、選択された要素を対象モデル要素と記載する場合がある。
【０１０３】
処理部１３は、要素選択があると判定した場合（ステップＳ１３：Ｙｅｓ）、グラフ表示処理を行う（ステップＳ１４）。ステップＳ１４のグラフ表示処理は、図１３に示すステップＳ３０〜Ｓ３５の処理であり、後で詳述する。
【０１０４】
処理部１３は、ステップＳ１４の処理が終了した場合、または、要素選択がないと判定した場合（ステップＳ１３：Ｎｏ）、表示モードの切り替え操作があるか否かを判定する（ステップＳ１５）。ステップＳ１５において、処理部１３は、例えば、図７に示す監視画像７０が表示部７に表示されている状態で実体選択ボタン７６が操作された場合、または図８に示す監視画像７０が表示部７に表示されている状態でモデル選択ボタン７７が操作された場合に、表示モードの切り替え操作があると判定する。
【０１０５】
処理部１３は、表示モードの切り替え操作があると判定した場合（ステップＳ１５：Ｙｅｓ）、階層切り替え処理を行う（ステップＳ１６）。ステップＳ１６の階層切り替え処理は、図１５に示すステップＳ５０〜Ｓ５５の処理であり、後で詳述する。
【０１０６】
処理部１３は、ステップＳ１６の処理が終了した場合、または表示モードの切り替え操作がないと判定した場合（ステップＳ１５：Ｎｏ）、図１１に示す処理を終了する。
【０１０７】
図１２は、実施の形態１にかかる監視装置の処理部による監視画像表示処理の一例を示すフローチャートである。図１２に示すように、監視装置１の処理部１３は、監視画像７０に用いられる複数の実体要素の情報を記憶部１０に記憶された設備情報６２から取得する（ステップＳ２０）。
【０１０８】
また、処理部１３は、監視画像７０に用いられる複数の部品７３の情報を記憶部１０に記憶された部品情報から取得し（ステップＳ２１）、監視画像７０に用いられる複数の計測値の情報を記憶部１０に記憶された計測情報６０から取得する（ステップＳ２２）。
【０１０９】
次に、処理部１３は、取得した複数の実体要素の情報と複数の部品７３の情報と複数の計測値とに基づいて、監視画像７０の情報を生成する（ステップＳ２３）。そして、処理部１３は、ステップＳ２３で生成した監視画像７０の情報を表示部７へ出力し、表示部７に監視画像７０を表示させて（ステップＳ２４）、図１２に示す処理を終了する。
【０１１０】
図１３は、実施の形態１にかかる監視装置の処理部によるグラフ表示処理の一例を示すフローチャートである。図１３に示すように、監視装置１の処理部１３は、関連計測器判定処理を行う（ステップＳ３０）。ステップＳ３０の関連計測器判定処理は、図１４に示すステップＳ４０〜Ｓ４６の処理であり、後で詳述する。
【０１１１】
次に、処理部１３は、対象計測器の複数の計測値と、関連計測器の複数の計測値とを記憶部１０から取得する（ステップＳ３１）。そして、処理部１３は、ステップＳ３１で対象計測器の複数の計測値に基づいて、対象計測器の計測値の時間変化を示す第１トレンドグラフを生成する（ステップＳ３２）。また、処理部１３は、ステップＳ３１で取得された関連計測器の複数の計測値に基づいて、関連計測器の計測値の時間変化を示す第２トレンドグラフを生成する（ステップＳ３３）。
【０１１２】
次に、処理部１３は、第１トレンドグラフと第２トレンドグラフとを含むトレンドグラフ領域８２を含む監視画像８０の情報を生成する（ステップＳ３４）。そして、処理部１３は、ステップＳ３４で生成した監視画像８０の情報を表示部７へ出力し、表示部７に監視画像８０を表示させ（ステップＳ３５）、図１３に示す処理を終了する。
【０１１３】
図１４は、実施の形態１にかかる監視装置の処理部による関連計測器判定処理の一例を示すフローチャートである。図１４に示す処理は、処理部１３の第２判定部３３によって実行される。図１４に示すように、監視装置１の処理部１３は、表示モードが第１モードであるか否かを判定する（ステップＳ４０）。処理部１３は、例えば、監視画像７０，８０において、監視画像表示要求があった場合またはモデル選択ボタン７７が選択された場合に表示モードが第１モードであると判定し、実体選択ボタン７６が選択された場合に表示モードが第２モードであると判定する。
【０１１４】
処理部１３は、表示モードが第１モードであると判定した場合（ステップＳ４０：Ｙｅｓ）、対象計測器と同じモデル要素ＩＤの計測器５があるか否かを判定する（ステップＳ４１）。対象計測器と同じモデル要素ＩＤの計測器５は、対象計測器と同じモデル要素ＩＤが関連付けられた計測器５である。処理部１３は、対象計測器と同じモデル要素ＩＤの計測器５があると判定した場合（ステップＳ４１：Ｙｅｓ）、対象計測器と同じモデル要素ＩＤが関連付けられた計測器５を関連計測器として判定する（ステップＳ４２）。
【０１１５】
処理部１３は、ステップＳ４２の処理が終了した場合、または対象計測器と同じモデル要素ＩＤの計測器５がないと判定した場合（ステップＳ４１：Ｎｏ）、未判定の計測器５があるか否かを判定する（ステップＳ４３）。処理部１３は、未判定の計測器５があると判定した場合（ステップＳ４３：Ｙｅｓ）、処理をステップＳ４１へ移行する。
【０１１６】
処理部１３は、表示モードが第１モードではなく第２モードであると判定した場合（ステップＳ４０：Ｎｏ）、対象モデル計測器と同じモデル要素ＩＤの計測器５があるか否かを判定する（ステップＳ４４）。対象モデル計測器と同じモデル要素ＩＤの計測器５は、対象モデル計測器と同じモデル要素ＩＤが関連付けられた計測器５である。
【０１１７】
処理部１３は、対象モデル計測器と同じモデル要素ＩＤの計測器５があると判定した場合（ステップＳ４４：Ｙｅｓ）、対象モデル計測器と同じモデル要素ＩＤが関連付けられた計測器５を関連計測器として判定する（ステップＳ４５）。
【０１１８】
処理部１３は、ステップＳ４５の処理が終了した場合、または対象モデル計測器と同じモデル要素ＩＤの計測器５がないと判定した場合（ステップＳ４４：Ｎｏ）、未判定の計測器５があるか否かを判定する（ステップＳ４６）。処理部１３は、未判定の計測器５があると判定した場合（ステップＳ４６：Ｙｅｓ）、処理をステップＳ４４へ移行する。
【０１１９】
また、処理部１３は、判定の計測器５がないと判定した場合（ステップＳ４３：Ｎｏ）、または未判定の計測器５がないと判定した場合（ステップＳ４６：Ｎｏ）、図１４に示す処理を終了する。
【０１２０】
図１５は、実施の形態１にかかる監視装置の処理部による階層切り替え処理の一例を示すフローチャートである。図１５に示すように、監視装置１の処理部１３は、表示モードが第１モードであるか否かを判定する（ステップＳ５０）。処理部１３は、表示モードが第１モードであると判定した場合（ステップＳ５０：Ｙｅｓ）、記憶部１０から複数の実体要素の情報を取得し（ステップＳ５１）、取得した複数の実体要素の情報に基づいて、要素選択領域７２の情報を生成する（ステップＳ５２）。
【０１２１】
処理部１３は、表示モードが第１モードではなく第２モードであると判定した場合（ステップＳ５０：Ｎｏ）、記憶部１０から複数のモデル要素の情報を取得し（ステップＳ５３）、取得した複数のモデル要素の情報に基づいて、要素選択領域７２の情報を生成する（ステップＳ５４）。
【０１２２】
処理部１３は、ステップＳ５２の処理が終了した場合、またはステップＳ５４の処理が終了した場合、ステップＳ５２またはステップＳ５４で生成した要素選択領域７２を含む監視画像の情報を表示部７へ出力し、表示部７に監視画像を表示させる（ステップＳ５５）。ステップＳ５５で表示部７に表示される監視画像は、監視画像７０または監視画像８０である。処理部１３は、ステップＳ５５の処理が終了すると、図１５に示す処理を終了する。
【０１２３】
図１６は、実施の形態１にかかる監視装置のハードウェア構成の一例を示す図である。図１６に示すように、監視装置１は、プロセッサ１０１と、メモリ１０２と、ネットワークインタフェース１０３と、入出力インタフェース１０４とを備えるコンピュータを含む。
【０１２４】
プロセッサ１０１、メモリ１０２、ネットワークインタフェース１０３、および入出力インタフェース１０４は、例えば、バス１０５によって互いに情報の送受信が可能である。記憶部１０は、メモリ１０２によって実現される。計測情報取得部１１は、ネットワークインタフェース１０３で実現される。プロセッサ１０１は、メモリ１０２に記憶されたプログラムを読み出して実行することによって、操作受付部１２および処理部１３などの機能を実行する。プロセッサ１０１は、例えば、処理回路の一例であり、ＣＰＵ（Central  Processing  Unit）、ＤＳＰ（Digital  Signal  Processor）、およびシステムＬＳＩ（Large  Scale  Integration）のうち一つ以上を含む。
【０１２５】
メモリ１０２は、ＲＡＭ（Random  Access  Memory）、ＲＯＭ（Read  Only  Memory）、フラッシュメモリ、ＥＰＲＯＭ（Erasable  Programmable  Read  Only  Memory）、およびＥＥＰＲＯＭ（登録商標）（Electrically  Erasable  Programmable  Read  Only  Memory）のうち一つ以上を含む。また、メモリ１０２は、コンピュータが読み取り可能なプログラムが記録された記録媒体を含む。かかる記録媒体は、不揮発性または揮発性の半導体メモリ、磁気ディスク、フレキシブルメモリ、光ディスク、コンパクトディスク、およびＤＶＤ（Digital  Versatile  Disc）のうち一つ以上を含む。なお、監視装置１は、ＡＳＩＣ（Application  Specific  Integrated  Circuit）およびＦＰＧＡ（Field  Programmable  Gate  Array）などの集積回路を含んでいてもよい。
【０１２６】
監視システム１００における監視装置１は、クライアント装置で構成されてもよく、サーバ装置で構成されてもよく、クライアント装置とサーバ装置とで構成されてもよい。監視装置１が２以上の装置で構成される場合、２以上の装置の各々は、例えば、図１６に示すハードウェア構成を有する。なお、２以上の装置間の通信は、ネットワークインタフェース１０３を介して行われる。また、監視装置１は、２以上のサーバ装置で構成されてもよい。例えば、監視装置１は、処理サーバと、データサーバとで構成されてもよい。
【０１２７】
以上のように、実施の形態１にかかる監視システム１００は、設備情報記憶部２３と、第２判定部３３と、表示処理部３５とを備える。設備情報記憶部２３は、複数の設備３の状態を計測する複数の計測器５の各々を識別する要素ＩＤと複数の計測器５のうち対応する計測器５の種別に割り当てられたモデル要素ＩＤとが互いに関連付けられた設備情報６２を記憶する。要素ＩＤは、第１識別子の一例である。モデル要素ＩＤは、第２識別子の一例である。第２判定部３３は、設備情報記憶部２３に記憶された設備情報６２に基づいて、複数の計測器５のうち選択された計測器５に関連付けられたモデル要素ＩＤと同じモデル要素ＩＤが関連付けられた１以上の計測器５を１以上の関連計測器として判定する。表示処理部３５は、選択された計測器５の計測値の時間変化を示す第１トレンドグラフと第２判定部３３によって判定された１以上の関連計測器の計測値の時間変化を示す第２トレンドグラフとを含む監視画像７０，８０を表示部７に表示させる。このように、監視システム１００において、複数の設備３に含まれる複数の実体要素に対して設備３間で同一のモデル要素ＩＤを関連付けることで、複数の設備３に含まれる複数の実体要素を設備３間で容易に関連付けることができる。したがって、監視システム１００では、監視システム１００を設定する設置者または監視システム１００の利用者の利便性を向上させることができる。
【０１２８】
また、監視システム１００は、複数の設備３をモデル化した情報であって設備モデル要素、複数の機器モデル要素、および複数の計測器モデル要素の各々の情報を含む設備モデル情報６１を記憶する設備モデル情報記憶部２２を備える。設備情報６２には、複数の設備３の各々を構成する複数の機器４の情報が含まれる。表示処理部３５は、表示モードが第１モードである場合、設備情報６２に基づいて、複数の設備３と複数の機器４と複数の計測器５との関係をツリー状階層構造で表す第１階層画像を含む画像の情報を監視画像７０，８０の情報として生成する。また、表示処理部３５は、表示モードが第２モードである場合、設備モデル情報６１に基づいて、設備モデル要素と複数の機器モデル要素と複数の計測器モデル要素との関係をツリー状階層構造で表す第２階層画像を含む画像のデータを監視画像７０，８０の情報として生成する。
【０１２９】
また、複数の計測器モデル要素の各々には、モデル要素ＩＤが関連付けられている。第２判定部３３は、要素選択領域７２に含まれる複数の計測器モデル要素のうち選択された計測器モデル要素に関連付けられたモデル要素ＩＤと同じモデル要素ＩＤが関連付けられた１以上の計測器を１以上の関連計測器として判定する。表示処理部３５は、第２判定部３３によって判定された１以上の関連計測器の計測値の時間変化を示すトレンドグラフを含む監視画像を表示部７に表示させる。これにより、監視システム１００は、計測器モデル要素を選択することで、関連する計測器５の計測値の各々の時間変化を示すトレンドグラフを容易に表示部７に表示させることができる。
【０１３０】
実施の形態２．
実施の形態２にかかる監視システムは、対象計測器と要素ＩＤが近い順に関連計測器を判定し、判定される関連計測器の数が制限される点で、実施の形態１にかかる監視システムと異なる。以下においては、実施の形態１と同様の機能を有する構成要素については同一符号を付して説明を省略し、実施の形態１にかかる監視システム１００と異なる点を中心に説明する。
【０１３１】
図１７は、本発明の実施の形態２にかかる監視システムの構成の一例を示す図である。図１７に示す監視システム１００Ａの監視装置１Ａは、記憶部１０および処理部１３に代えて、記憶部１０Ａおよび処理部１３Ａを備える点で、監視システム１００の監視装置１と異なる。
【０１３２】
記憶部１０Ａは、部品情報記憶部２４に代えて部品情報記憶部２４Ａを有し、且つ関連計測器の数の上限値を含む設定ファイルが記憶される設定ファイル記憶部２５を備える点で、記憶部１０と異なる。部品情報記憶部２４Ａは、各部品７３の情報として、各部品７３に固有の部品ＩＤを記憶する。部品ＩＤは、例えば、画像作成アプリケーションを用いて監視画像領域７１が設計される際に、画像作成アプリケーションによって自動的に付与される部品７３の識別情報である。部品ＩＤは、数字で表される。例えば、部品ＩＤは、画像作成アプリケーションによって連番で付与される数値を含む。
【０１３３】
また、処理部１３Ａは、対象計測器の要素ＩＤまたは部品ＩＤと要素ＩＤまたは部品ＩＤが近い順に関連計測器を判定し、且つ関連計測器の数を設定ファイルに含まれる上限値を超えないように制限する第２判定部３３Ａを有する点で処理部１３と異なる。部品ＩＤは、監視画像７０または監視画像８０に配置される対象計測器の部品７３に割り当てられた識別情報であり、部品情報記憶部２４Ａに記憶される部品情報に含まれる。
【０１３４】
図１８は、実施の形態２にかかる監視装置の第２判定部による関連計測器判定処理の一例を示すフローチャートである。図１８に示すように、第２判定部３３Ａは、表示モードが第１モードであるか否かを判定する（ステップＳ６０）。第２判定部３３Ａは、表示モードが第１モードであると判定した場合（ステップＳ６０：Ｙｅｓ）、図１４に示すステップＳ４１の処理と同様に、対象計測器と同じモデル要素ＩＤの計測器５があるか否かを判定する（ステップＳ６１）。
【０１３５】
第２判定部３３Ａは、対象計測器と同じモデル要素ＩＤの計測器５があると判定した場合（ステップＳ６１：Ｙｅｓ）、対象計測器と同じモデル要素ＩＤの計測器５を関連計測器候補とし、対象計測器との間でＩＤの数値差が小さい順に関連計測器候補を配列する（ステップＳ６２）。ステップＳ６２におけるＩＤは、要素ＩＤまたは部品ＩＤである。第２判定部３３Ａは、関連計測器候補を関連計測器と判定した数である判定数が上限値を超えたか否かを判定する（ステップＳ６３）。
【０１３６】
第２判定部３３Ａは、判定数が上限値を超えていないと判定した場合（ステップＳ６３：Ｎｏ）、未判定の関連計測器候補のうち配列が先頭の関連計測器候補を関連計測器として判定する（ステップＳ６４）。未判定の関連計測器候補とは、ステップＳ６４で関連計測器として判定されていない関連計測器候補である。
【０１３７】
第２判定部３３Ａは、未判定の関連計測器候補があるか否かを判定する（ステップＳ６５）。第２判定部３３Ａは、未判定の関連計測器候補があると判定した場合（ステップＳ６５：Ｙｅｓ）、処理をステップＳ６３へ移行する。
【０１３８】
第２判定部３３Ａは、表示モードが第１モードではなく第２モードであると判定した場合（ステップＳ６０：Ｎｏ）、図１４に示すステップＳ４４の処理と同様に、対象モデル計測器と同じモデル要素ＩＤの計測器５があるか否かを判定する（ステップＳ６６）。
【０１３９】
第２判定部３３Ａは、対象モデル計測器と同じモデル要素ＩＤの計測器５があると判定した場合（ステップＳ６６：Ｙｅｓ）、対象モデル計測器と同じモデル要素ＩＤの計測器５を関連計測器候補とし、対象計測器の間でとＩＤの数値差が小さい順に関連計測器候補を配列する（ステップＳ６７）。ステップＳ６７における対象計測器は、例えば、対象モデル要素と同じモデル要素ＩＤ関連付けられた計測器５であって過去に選択された計測器５である。第２判定部３３Ａは、例えば、対象モデル計測器と同じモデル要素ＩＤに関連付けられた計測器５のうち最後に選択された計測器５を対象計測器とすることができる。また、第２判定部３３Ａは、対象モデル計測器と同じモデル要素ＩＤに関連付けられた計測器５のうち選択された頻度が最も高い計測器５を対象計測器とすることもできる。また、第２判定部３３Ａは、対象モデル計測器と同じモデル要素ＩＤに関連付けられた計測器５のうちランダムに選択した計測器５を対象計測器とすることもできる。また、第２判定部３３Ａは、対象モデル計測器と同じモデル要素ＩＤの計測器５のうち計測値が予め設定された範囲から外れている計測器５を対象計測器とすることもできる。ステップＳ６７におけるＩＤは、要素ＩＤまたは部品ＩＤである。第２判定部３３Ａは、関連計測器候補を関連計測器と判定した数である判定数が上限値を超えたか否かを判定する（ステップＳ６８）。
【０１４０】
第２判定部３３Ａは、判定数が上限値を超えていないと判定した場合（ステップＳ６８：Ｎｏ）、未判定の関連計測器候補のうち配列が先頭の関連計測器候補を関連計測器として判定する（ステップＳ６９）。未判定の関連計測器候補とは、ステップＳ６９で関連計測器として判定されていない関連計測器候補である。
【０１４１】
第２判定部３３Ａは、未判定の関連計測器候補があるか否かを判定する（ステップＳ７０）。第２判定部３３Ａは、未判定の関連計測器候補があると判定した場合（ステップＳ７０：Ｙｅｓ）、処理をステップＳ６８へ移行する。
【０１４２】
第２判定部３３Ａは、対象計測器と同じモデル要素ＩＤの計測器５がないと判定した場合（ステップＳ６１：Ｎｏ）、対象モデル計測器と同じモデル要素ＩＤの計測器５がないと判定した場合（ステップＳ６６：Ｎｏ）、または判定数が上限値を超えていると判定した場合（ステップＳ６３：Ｙｅｓ）、図１８に示す処理を終了する。また、第２判定部３３Ａは、判定数が上限値を超えていると判定した場合（ステップＳ６８：Ｙｅｓ）、未判定の関連計測器候補がないと判定した場合（ステップＳ６５：Ｎｏ）、または、未判定の関連計測器候補がないと判定した場合（ステップＳ７０：Ｎｏ）、図１８に示す処理を終了する。
【０１４３】
実施の形態２にかかる監視装置１Ａのハードウェア構成例は、図１６に示す監視装置１のハードウェア構成と同じである。プロセッサ１０１は、メモリ１０２に記憶されたプログラムを読み出して実行することによって、処理部１３Ａの機能を実行することができる。
【０１４４】
以上のように、実施の形態２にかかる監視システム１００Ａの第２判定部３３Ａは、対象計測器に関連付けられたモデル要素ＩＤと同じモデル要素ＩＤが関連付けられた計測器５である関連計測器候補が複数ある場合、複数の関連計測器候補のうち、予め設定された数の関連計測器候補を関連計測器として判定する。これにより、監視システム１００Ａは、関連計測器の数が多くなりすぎることを防止することができる。
【０１４５】
また、監視システム１００Ａにおいて、監視画像７０，８０には、複数の計測器５の計測値のうち対応する計測値を各々表示する複数の部品７３が含まれている。また、複数の部品７３の各々には、対応する部品７３を識別する識別子であって数字で表される部品ＩＤが関連付けられている。第２判定部３３Ａは、対象計測器に関連付けられたモデル要素ＩＤと同じモデル要素ＩＤが関連付けられた計測器５である関連計測器候補が複数ある場合、複数の関連計測器候補のうち、対象計測器との間で部品７３の部品ＩＤの数値差が小さい順に１以上の関連計測器候補を抽出し、抽出した１以上の関連計測器候補を１以上の関連計測器として判定する。これにより、監視システム１００Ａは、対象計測器と同じモデル要素ＩＤを有するだけではなく、より関連の強い計測器５を関連計測器として抽出することができる。例えば、監視画像領域７１を設計する際に、部品ＩＤとして割り当てられる数値が部品７３を新たに監視画像７０，８０に配置する順に大きくなる仕様である場合、部品ＩＤは、監視画像上に配置される位置が近い順番で割り振られる可能性が高い。そのため、監視システム１００Ａは、モデル要素ＩＤのみを用いる場合に比べ、より関連の強い計測器５を関連計測器として抽出することができる。
【０１４６】
また、監視システム１００Ａにおいて、要素ＩＤは、数字で表される。第２判定部３３Ａは、対象計測器に関連付けられたモデル要素ＩＤと同じモデル要素ＩＤが関連付けられた計測器５である関連計測器候補が複数ある場合、複数の関連計測器候補のうち、対象計測器との間で要素ＩＤの数値差が小さい順に１以上の関連計測器候補を抽出し、抽出した１以上の関連計測器候補を１以上の関連計測器として判定する。これにより、監視システム１００Ａは、対象計測器と同じモデル要素ＩＤを有するだけではなく、より関連の強い計測器５を関連計測器として抽出することができる。要素ＩＤが実体要素が設置される物理的位置が近い順に連番で割り当てられることが多い。そのため、監視システム１００Ａは、モデル要素ＩＤのみを用いる場合に比べ、より関連の強い計測器５を関連計測器として抽出することができる。
【０１４７】
なお、各実体要素にＩｏＴ（Internet  of  Things）タグが取り付けられる場合、要素ＩＤは、ＩｏＴタグ名であってもよい。ＩｏＴタグは、無線によってＩｏＴタグ名を送信することができるデバイスであり、例えば、ＲＦ（Radio  Frequency）タグである。ＩｏＴタグがＲＦタグである場合、ＩｏＴタグ名は、例えば、ＲＦＩＤ（Radio  Frequency  Identifier）である。実体要素が設置される物理的位置が近い順番でＩｏＴタグ名が順番に割り振られる可能性が高い。そのため、監視システム１００Ａは、モデル要素ＩＤのみを用いる場合に比べ、より関連の強い計測器５を関連計測器として抽出することができる。
【０１４８】
実施の形態３．
実施の形態３にかかる監視システムは、対象計測器と物理的位置が近い順に関連計測器を判定する点で、実施の形態２にかかる監視システムと異なる。以下においては、実施の形態２と同様の機能を有する構成要素については同一符号を付して説明を省略し、実施の形態２にかかる監視システム１００Ａと異なる点を中心に説明する。
【０１４９】
図１９は、本発明の実施の形態３にかかる監視システムの構成の一例を示す図である。図１９に示す監視システム１００Ｂの監視装置１Ｂは、記憶部１０Ａおよび処理部１３Ａに代えて、記憶部１０Ｂおよび処理部１３Ｂを備える点で、監視システム１００Ａの監視装置１Ａと異なる。
【０１５０】
記憶部１０Ｂは、各実体要素の物理的位置が計測情報に含まれる点で、記憶部１０Ａと異なる。すなわち、記憶部１０Ｂの計測情報記憶部２１Ｂに記憶される計測情報は、記憶部１０の計測情報記憶部２１に記憶される計測情報６０に加えて各実体要素の物理的位置を示す位置情報を含む。
【０１５１】
また、処理部１３Ｂは、計測情報記憶部２１Ｂに記憶される計測情報に基づいて、対象計測器と物理的位置が近い順に関連計測器を判定する第２判定部３３Ｂを有する点で処理部１３Ａと異なる。
【０１５２】
図２０は、実施の形態３にかかる計測情報記憶部に記憶される計測情報の一例を示す図である。図２０に示す計測情報６０Ｂでは、施設２の実体要素毎に、「要素ＩＤ」、「今回の計測値」、「過去の計測値」、「単位」、「緯度」、および「経度」が互いに関連付けられている。「緯度」は、実体要素の物理的位置のうち緯度を示す位置情報であり、「経度」は、実体要素の物理的位置のうち経度を示す位置情報である。例えば、要素ＩＤ「１０００４」の実体要素の緯度は「１３７．１５８８６３５」であり、経度は「３４．９５６３７０６４」である。なお、図示していないが、計測情報６０Ｂには、施設２の実体要素毎に、「要素ＩＤ」に「高度」が関連付けられている。「高度」は、実体要素の物理的位置のうち高度を示す位置情報である。
【０１５３】
第２判定部３３Ｂは、対象計測器に関連付けられたモデル要素ＩＤと同じモデル要素ＩＤが関連付けられた計測器５である関連計測器候補が複数ある場合、複数の関連計測器候補のうち、対象計測器との位置が近い順に１以上の関連計測器候補を抽出し、抽出した１以上の関連計測器候補を１以上の関連計測器として判定する。
【０１５４】
ここで、位置が近いとは、対象計測器と関連計測器候補との間における緯度、経度、および高度のうち少なくとも１つの差が小さいことを指す。例えば、対象計測器と関連計測器候補との間における緯度の差が小さいことを位置が近いとすることができ、対象計測器と関連計測器候補との間における緯度の差が小さいことを位置が近いとすることができる。
【０１５５】
また、位置が近いとは、対象計測器と関連計測器候補との間の物理的な距離が近いことであってもよい。この場合、例えば、第２判定部３３Ｂは、以下の式（１）に基づいて、対象計測器と関連計測器候補との間の物理的な直線距離を算出する。下記式（１）において、「Ｌ」は、対象計測器と関連計測器候補との間の物理的な直線距離であり、「ｘ１」は、対象計測器の緯度であり、「ｙ１」は対象計測器の経度である。また、下記式（１）において、「ｘ２」は、関連計測器候補の緯度であり、「ｙ２」は関連計測器候補の経度である。
【０１５６】
【数１】
0006833113.tif 000002
【０１５７】
また、位置が近いとは、対象計測器と関連計測器候補との間の距離として緯度、経度、および高度のうち少なくとも２つの情報を重み付けして結果の差が小さいことであってもよい。例えば、第２判定部３３Ｂは、下記式（２）に基づいて、緯度、経度、および高度のうち少なくとも２つの情報を重み付けして得られる値を算出することで、対象計測器と関連計測器候補との間の物理的な非直線距離を算出する。下記式（２）において、「Ｌ’」は、対象計測器と関連計測器候補との間の緯度、経度、および高度を重み付けして得られる距離であり、「ｘ１」は、対象計測器の緯度であり、「ｙ１」は対象計測器の経度であり、「ｚ１」は、対象計測器の高度である。また、下記式（２）において、「ｘ２」は、関連計測器候補の緯度であり、「ｙ２」は関連計測器候補の経度であり、「ｚ２」は、関連計測器候補の高度である。また、下記式（２）において、「ｋ１」は緯度に対する重み付けの係数であり、「ｋ２」は経度に対する重み付けの係数であり、「ｋ３」は高度に対する重み付けの係数である。
【０１５８】
【数２】
0006833113.tif 000003
【０１５９】
図２１は、実施の形態３にかかる監視装置の第２判定部による関連計測器判定処理の一例を示すフローチャートである。図２１に示すステップＳ８０，Ｓ８１，Ｓ８３〜Ｓ８６，Ｓ８８〜Ｓ９０の処理は、図１８に示すステップＳ６０，Ｓ６１，Ｓ６３〜Ｓ６６，Ｓ６８〜Ｓ７０の処理と同じであるため、説明を省略する。
【０１６０】
図２１に示すように、第２判定部３３Ｂは、対象計測器と位置が近い順に関連計測器候補を配列する（ステップＳ８２）。また、第２判定部３３Ｂは、ステップＳ８２の処理と同様に、対象計測器と位置が近い順に関連計測器候補を配列する（ステップＳ８７）。なお、ステップＳ８７における対象計測器は、図１８に示すステップＳ６７における対象計測器と同じである。
【０１６１】
例えば、第２判定部３３Ｂは、ステップＳ８２またはステップＳ８７において、複数の関連計測器候補を対象計測器と緯度、経度、および高度のうち少なくとも１つが近い順に配列する。また、第２判定部３３Ｂは、ステップＳ８２またはステップＳ８７において、複数の関連計測器候補の各々と対象計測器との間の距離を、緯度、経度、および高度を重み付けして算出することもできる。この場合、第２判定部３３Ｂは、複数の関連計測器候補を対象計測器と距離が近い順に配列する。
【０１６２】
実施の形態３にかかる監視装置１Ｂのハードウェア構成例は、図１６に示す監視装置１のハードウェア構成と同じである。プロセッサ１０１は、メモリ１０２に記憶されたプログラムを読み出して実行することによって、処理部１３Ｂの機能を実行することができる。
【０１６３】
以上のように、実施の形態３にかかる監視システム１００Ｂでは、設備情報６２には、複数の計測器５の各々の物理的位置を示す位置情報が含まれる。第２判定部３３Ｂは、対象計測器に関連付けられたモデル要素ＩＤと同じモデル要素ＩＤが関連付けられた計測器５である関連計測器候補が複数ある場合、複数の関連計測器候補のうち、対象計測器との位置が近い順に１以上の関連計測器候補を抽出し、抽出した１以上の関連計測器候補を１以上の関連計測器として判定する。このように、監視システム１００Ｂは、対象計測器と位置が近い関連計測器候補が優先して関連計測器として判定する。そのため、監視システム１００Ｂは、モデル要素ＩＤのみを用いる場合に比べ、より関連の強い計測器５を関連計測器として抽出することができる。
【０１６４】
また、位置情報には、緯度、経度、および高度のうち少なくとも１つの情報が含まれる。第２判定部３３Ｂは、複数の関連計測器候補のうち、対象計測器と緯度、経度、および高度のうち少なくとも１つが近い順に１以上の関連計測器候補を抽出し、抽出した１以上の関連計測器候補を１以上の関連計測器として判定する。これにより、監視システム１００Ｂは、モデル要素ＩＤのみを用いる場合に比べ、より関連の強い計測器５を関連計測器として抽出することができる。
【０１６５】
また、位置情報には、緯度、経度、および高度のうち少なくとも２つの情報が含まれる。第２判定部３３Ｂは、複数の関連計測器候補の各々と対象計測器との間の距離を、少なくとも２つの情報を重み付けして算出する。第２判定部３３Ｂは、複数の関連計測器候補のうち、対象計測器との間の距離が短い順に１以上の関連計測器候補を抽出し、抽出した１以上の関連計測器候補を１以上の関連計測器として判定する。これにより、監視システム１００Ｂは、緯度、経度、および高度のいずれかを優先して距離を算出することができる。そのため、監視システム１００Ｂは、モデル要素ＩＤのみを用いる場合に比べ、より関連の強い計測器５を関連計測器として抽出することができる。
【０１６６】
実施の形態４．
実施の形態４にかかる監視システムは、対象計測器との計測値の差が小さい順または対象計測器との類似度が高い順に関連計測器を判定する点で、実施の形態２にかかる監視システム１００Ａと異なる。以下においては、実施の形態２と同様の機能を有する構成要素については同一符号を付して説明を省略し、実施の形態２にかかる監視システム１００Ａと異なる点を中心に説明する。
【０１６７】
図２２は、本発明の実施の形態４にかかる監視システムの構成の一例を示す図である。図２２に示す監視システム１００Ｃの監視装置１Ｃは、処理部１３Ａに代えて、処理部１３Ｃを備える点で、監視システム１００Ａの監視装置１Ａと異なる。
【０１６８】
処理部１３Ｃは、対象計測器に関連付けられたモデル要素ＩＤとモデル要素ＩＤが関連付けられた計測器５である関連計測器候補が複数ある場合、複数の関連計測器候補のうち、対象計測器との計測値の差が小さい順または類似度が高い順に１以上の関連計測器候補を抽出し、抽出した１以上の関連計測器候補を１以上の関連計測器として判定する。計測値の差が小さい計測器同士は関連度が高い場合が多い。そのため、処理部１３Ｃは、モデル要素ＩＤのみを用いる場合に比べ、より関連の強い計測器５を関連計測器として抽出することができる。
【０１６９】
処理部１３Ｃは、例えば、関連計測器候補の計測値と対象計測器の計測値との類似度をユークリッド距離を用いて算出することができる。例えば、処理部１３Ｃは、下記式（３）の演算によって類似度を算出することができる。下記式（３）において、「ｄ」は、類似度であり、「ａ１」は、時刻ｔ１における対象計測器の計測値であり、「ａ２」は、時刻ｔ２における対象計測器の計測値であり、「ａ３」は、時刻ｔ３における対象計測器の計測値であり、「ａｉ」は、時刻ｔｉにおける対象計測器の計測値である。また、下記式（３）において、「ｂ１」は、時刻ｔ１における関連計測器候補の計測値であり、「ｂ２」は、時刻ｔ２における関連計測器候補の計測値であり、「ｂ３」は、時刻ｔ３における関連計測器候補の計測値であり、「ｂｉ」は、時刻ｔｉにおける関連計測器候補の計測値である。
【０１７０】
【数３】
0006833113.tif 000004
【０１７１】
なお、類似度の算出は上述した算出方法に限定されない。例えば、処理部１３Ｃは、ユークリッド距離に代えて、ピアソンの積率相関係数またはＪａｃｃａｒｄ係数を用いて類似度を算出することもできる。計測値の類似度が高い計測器同士は関連度が高い場合が多い。そのため、処理部１３Ｃは、モデル要素ＩＤのみを用いる場合に比べ、より関連の強い計測器５を関連計測器として抽出することができる。
【０１７２】
図２３は、実施の形態４にかかる監視装置の第２判定部による関連計測器判定処理の一例を示すフローチャートである。図２３に示すステップＳ１００，Ｓ１０１，Ｓ１０３〜Ｓ１０６，Ｓ１０８〜Ｓ１１０の処理は、図１８に示すステップＳ６０，Ｓ６１，Ｓ６３〜Ｓ６６，Ｓ６８〜Ｓ７０の処理と同じであるため、説明を省略する。
【０１７３】
図２３に示すように、第２判定部３３Ｃは、対象計測器との計測値の差が小さい順または対象計測器との計測値の類似度が高い順に関連計測器候補を配列する（ステップＳ１０２）。また、第２判定部３３Ｃは、ステップＳ１０２の処理と同様に、対象計測器との計測値の差が小さい順または対象計測器との計測値の類似度が高い順に関連計測器候補を配列する（ステップＳ１０７）。なお、ステップＳ１０７における対象計測器は、図１８に示すステップＳ６７における対象計測器と同じである。
【０１７４】
実施の形態４にかかる監視装置１Ｃのハードウェア構成例は、図１６に示す監視装置１のハードウェア構成と同じである。プロセッサ１０１は、メモリ１０２に記憶されたプログラムを読み出して実行することによって、処理部１３Ｃの機能を実行することができる。
【０１７５】
以上のように、実施の形態４にかかる監視システム１００Ｃの第２判定部３３Ｃは、対象計測器に関連付けられたモデル要素ＩＤと同じモデル要素ＩＤが関連付けられた計測器５である関連計測器候補が複数ある場合、複数の関連計測器候補のうち、対象計測器との計測値の類似度が高い順に１以上の関連計測器候補を抽出し、抽出した１以上の関連計測器候補を１以上の関連計測器として判定する。計測値の類似度が高い計測器同士は関連度が高い場合が多い。そのため、処理部１３Ｃは、モデル要素ＩＤのみを用いる場合に比べ、より関連の強い計測器５を関連計測器として抽出することができる。
【０１７６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１７７】
１，１Ａ，１Ｂ，１Ｃ  監視装置、２  施設、３，３１，３２，・・・，３ｎ  設備、４，４１，４２，４３，４４，・・・，４ｋ−１，４ｋ  機器、５，５１，５２，５３，５４，５５，５６，・・・，５ｍ−２，５ｍ−１，５ｍ  計測器、６  操作部、７  表示部、１０，１０Ａ，１０Ｂ  記憶部、１１  計測情報取得部、１２  操作受付部、１３，１３Ａ，１３Ｂ，１３Ｃ  処理部、２１，２１Ｂ  計測情報記憶部、２２  設備モデル情報記憶部、２３  設備情報記憶部、２４，２４Ａ  部品情報記憶部、２５  設定ファイル記憶部、３１  第１情報取得部、３２  第１判定部、３３，３３Ａ，３３Ｂ，３３Ｃ  第２判定部、３４  第２情報取得部、３５  表示処理部、４１  第１画像情報生成部、４２  第２画像情報生成部、４３  第３画像情報生成部、４４  出力部、１００，１００Ａ，１００Ｂ，１００Ｃ  監視システム。
【要約】
監視システム（１００）は、設備情報記憶部（２３）と、第２判定部（３３）と、表示処理部（３５）とを備える。第２判定部（３３）は、設備情報記憶部（２３）に記憶された設備情報に基づいて、複数の計測器（５１，５２，５３，５４，５５，５６，・・・，５ｍ−２，５ｍ−１，５ｍ）のうち選択された計測器に関連付けられた第２識別子と同じ第２識別子が関連付けられた１以上の計測器を１以上の関連計測器として判定する。表示処理部（３５）は、選択された計測器の計測値の時間変化を示すトレンドグラフと第２判定部（３３）によって判定された１以上の関連計測器の計測値の時間変化を示すトレンドグラフとを含む監視画像を表示部（７）に表示させる。【図１】
0006833113.tif 000005
【図２】
0006833113.tif 000006
【図３】
0006833113.tif 000007
【図４】
0006833113.tif 000008
【図５】
0006833113.tif 000009
【図６】
0006833113.tif 000010
【図７】
0006833113.tif 000011
【図８】
0006833113.tif 000012
【図９】
0006833113.tif 000013
【図１０】
0006833113.tif 000014
【図１１】
0006833113.tif 000015
【図１２】
0006833113.tif 000016
【図１３】
0006833113.tif 000017
【図１４】
0006833113.tif 000018
【図１５】
0006833113.tif 000019
【図１６】
0006833113.tif 000020
【図１７】
0006833113.tif 000021
【図１８】
0006833113.tif 000022
【図１９】
0006833113.tif 000023
【図２０】
0006833113.tif 000024
【図２１】
0006833113.tif 000025
【図２２】
0006833113.tif 000026
【図２３】
0006833113.tif 000027